(57)【要約】  頻繁なサーバメッセージを減らすための装置および方法は、移動局に向けられたネットワークサーバからのサーバ要求を受信することと、移動局にサーバ要求を転送すべきか否かを判断することと、移動局に代わってサーバ要求に少なくとも部分的に基づいてネットワークサーバにサーバ応答を送信することとを含む。【選択図】      図５
2013539623.tif 000002
【特許請求の範囲】
【請求項１】
頻繁なサーバメッセージを減らすための方法であって、
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を備える方法。
【請求項２】
前記判断するステップは、前記移動局とのリンク層シグナリング交換に基づき、前記送信するステップは、前記移動局に前記サーバ要求を転送することを含まない、請求項１に記載の方法。
【請求項３】
前記サーバ要求を前記受信することは、キープアライブ要求を受信することを含む、請求項１に記載の方法。
【請求項４】
前記キープアライブ要求を前記受信することは、パケットフィルタを使用して前記キープアライブ要求を検出し、前記パケットフィルタは、前記移動局または前記ネットワークサーバのいずれかによって送られる、請求項３に記載の方法。
【請求項５】
前記キープアライブ要求をリンク層キープアライブ要求に変換することをさらに備える、請求項３に記載の方法。
【請求項６】
前記サーバ要求を転送すべきか否かを前記判断することは、前記移動局からの通信に関係する非アクティビティタイマーの値を評価することを含む、請求項３に記載の方法。
【請求項７】
キープアライブ応答を受信すると、前記非アクティビティタイマーをリセットすることをさらに備える、請求項６に記載の方法。
【請求項８】
前記非アクティビティタイマーの前記値に少なくとも部分的に基づいて前記移動局に前記キープアライブ要求を転送することと、
キープアライブ応答である前記サーバ応答を前記移動局から受信することと
をさらに備える、請求項６に記載の方法。
【請求項９】
前記非アクティビティタイマーはリンク層非アクティビティタイマーである、請求項８に記載の方法。
【請求項１０】
キープアライブメッセージは、前記ネットワークサーバからのレイヤ２トンネリングプロトコル（Ｌ２ＴＰ）キープアライブメッセージである、請求項３に記載の方法。
【請求項１１】
前記Ｌ２ＴＰキープアライブメッセージをポイントツーポイントプロトコル（ＰＰＰ）リンク制御プロトコル（ＬＣＰ）エコー要求に変換することと、
非アクティビティタイマーの値に少なくとも部分的に基づいて前記移動局に前記ＰＰＰ  ＬＣＰエコー要求を送信することと
をさらに備える、請求項１０に記載の方法。
【請求項１２】
前記移動局からＬＣＰエコー応答を受信することと、
前記ＬＣＰエコー応答を前記受信することに少なくとも部分的に基づいて、前記Ｌ２ＴＰキープアライブメッセージに応答して前記ネットワークサーバにゼロ長本文確認応答を送信することと
をさらに備える、請求項１１に記載の方法。
【請求項１３】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項１１に記載の方法。
【請求項１４】
前記サーバ要求を前記受信することは、前記ネットワークサーバからＬ２ＴＰ制御プロトコル（ＬＣＰ）エコー要求を受信することを含み、前記サーバ応答を前記送信することは、前記ネットワークサーバにＬＣＰエコー応答を送信することを含む、請求項１に記載の方法。
【請求項１５】
頻繁なサーバメッセージを減らすための装置であって、プロセッサとメモリとを備え、前記メモリは、
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を実行するための前記プロセッサによって実行可能なプログラムコードを含む、装置。
【請求項１６】
判断するための前記プログラムコードは、前記移動局とのリンク層シグナリング交換に基づき有効であり、送信するための前記プログラムコードは、前記移動局に前記サーバ要求を転送するためのプログラムコードを含まない、請求項１５に記載の装置。
【請求項１７】
前記サーバ要求を受信するための前記プログラムコードは、キープアライブ要求を受信するためのプログラムコードを含む、請求項１５に記載の装置。
【請求項１８】
前記メモリは、パケットフィルタを使用して前記キープアライブ要求を検出するためのプログラムコードをさらに備え、前記パケットフィルタは、前記移動局または前記ネットワークサーバのいずれかによって送られる、請求項１７に記載の装置。
【請求項１９】
前記メモリは、前記キープアライブ要求をリンク層キープアライブ要求に変換するためのプログラムコードをさらに備える、請求項１７に記載の装置。
【請求項２０】
前記メモリは、前記移動局からの通信に関係する非アクティビティタイマーの値を評価するためのプログラムコードをさらに備える、請求項１７に記載の装置。
【請求項２１】
前記メモリは、キープアライブ応答を受信すると、前記非アクティビティタイマーをリセットするためのプログラムコードをさらに備える、請求項２０に記載の装置。
【請求項２２】
前記メモリは、
前記非アクティビティタイマーの前記値に少なくとも部分的に基づいて前記移動局に前記キープアライブ要求を転送し、
キープアライブ応答である前記サーバ応答を前記移動局から受信する
ためのプログラムコードをさらに備える、請求項２０に記載の装置。
【請求項２３】
前記非アクティビティタイマーはリンク層非アクティビティタイマーである、請求項２２に記載の装置。
【請求項２４】
キープアライブメッセージは、前記ネットワークサーバからのレイヤ２トンネリングプロトコル（Ｌ２ＴＰ）キープアライブメッセージである、請求項１７に記載の装置。
【請求項２５】
前記メモリは、
前記Ｌ２ＴＰキープアライブメッセージをポイントツーポイントプロトコル（ＰＰＰ）リンク制御プロトコル（ＬＣＰ）エコー要求に変換し、
非アクティビティタイマーの値に少なくとも部分的に基づいて前記移動局に前記ＰＰＰ  ＬＣＰエコー要求を送信する
ためのプログラムコードをさらに備える、請求項２４に記載の装置。
【請求項２６】
前記メモリは、
前記移動局からＬＣＰエコー応答を受信し、
前記ＬＣＰエコー応答を前記受信することに少なくとも部分的に基づいて、前記Ｌ２ＴＰキープアライブメッセージに応答して前記ネットワークサーバにゼロ長本文確認応答を送信する
ためのプログラムコードをさらに備える、請求項２５に記載の装置。
【請求項２７】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項２５に記載の装置。
【請求項２８】
前記メモリは、前記ネットワークサーバからＬ２ＴＰ制御プロトコル（ＬＣＰ）エコー要求を受信するための、かつ前記ネットワークサーバにＬＣＰエコー応答を送信するためのプログラムコードをさらに備える、請求項１５に記載の装置。
【請求項２９】
頻繁なサーバメッセージを減らすための装置であって、
移動局に向けられたネットワークサーバからのサーバ要求を受信するための手段と、
前記移動局に前記サーバ要求を転送すべきか否かを判断するための手段と、
前記移動局に代わって前記サーバ要求に少なくとも部分的に基づいて前記ネットワークサーバにサーバ応答を送信するための手段と
を備える装置。
【請求項３０】
判断するための前記手段は、前記移動局とのリンク層シグナリング交換に基づいて有効であり、送信するステップのための前記手段は、前記移動局に前記サーバ要求を転送するための手段を含まない、請求項２９に記載の装置。
【請求項３１】
キープアライブ要求を受信するための手段をさらに備える、請求項２９に記載の装置。
【請求項３２】
前記キープアライブ要求を受信するための前記手段は、パケットフィルタを使用して前記キープアライブ要求を検出し、前記パケットフィルタは、前記移動局または前記ネットワークサーバのいずれかによって送られる、請求項３１に記載の装置。
【請求項３３】
前記キープアライブ要求をリンク層キープアライブ要求に変換するための手段をさらに備える、請求項３１に記載の装置。
【請求項３４】
前記移動局からの通信に関係する非アクティビティタイマーの値を評価するための手段をさらに備える、請求項３１に記載の装置。
【請求項３５】
キープアライブ応答を受信すると、前記非アクティビティタイマーをリセットするための手段をさらに備える、請求項３４に記載の装置。
【請求項３６】
前記非アクティビティタイマーの前記値に少なくとも部分的に基づいて前記移動局に前記キープアライブ要求を転送するための手段と、
キープアライブ応答である前記サーバ応答を前記移動局から受信するための手段と
をさらに備える、請求項３４に記載の装置。
【請求項３７】
前記非アクティビティタイマーはリンク層非アクティビティタイマーである、請求項３６に記載の装置。
【請求項３８】
キープアライブメッセージは、前記ネットワークサーバからのレイヤ２トンネリングプロトコル（Ｌ２ＴＰ）キープアライブメッセージである、請求項３１に記載の装置。
【請求項３９】
前記Ｌ２ＴＰキープアライブメッセージをポイントツーポイントプロトコル（ＰＰＰ）リンク制御プロトコル（ＬＣＰ）エコー要求に変換するための手段と、
非アクティビティタイマーの値に少なくとも部分的に基づいて前記移動局に前記ＰＰＰ  ＬＣＰエコー要求を送信するための手段と
をさらに備える、請求項３８に記載の装置。
【請求項４０】
前記移動局からＬＣＰエコー応答を受信するための手段と、
前記ＬＣＰエコー応答を前記受信することに少なくとも部分的に基づいて、前記Ｌ２ＴＰキープアライブメッセージに応答して前記ネットワークサーバにゼロ長本文確認応答を送信するための手段と
をさらに備える、請求項３９に記載の装置。
【請求項４１】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項３９に記載の装置。
【請求項４２】
前記サーバ要求を受信するための前記手段は、前記ネットワークサーバからＬ２ＴＰ制御プロトコル（ＬＣＰ）エコー要求を受信するための手段を含み、前記サーバ応答を送信するための前記手段は、前記ネットワークサーバにＬＣＰエコー応答を送信するための手段を含む、請求項２９に記載の装置。
【請求項４３】
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を備える、プログラムコードを記憶したコンピュータ可読媒体を備える、コンピュータプログラム製品。
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１０年７月２７日に出願された「Ａｐｐａｒａｔｕｓ  ａｎｄ  Ｍｅｔｈｏｄ  ｆｏｒ  Ｒｅｄｕｃｉｎｇ  Ｆｒｅｑｕｅｎｔ  Ｓｅｒｖｅｒ  Ｍｅｓｓａｇｅｓ」と題する仮出願第６１／３６８，１９７号の優先権を主張する。
【０００２】
本開示は、一般に、ネットワークオーバーヘッドを減らすための装置および方法に関する。より詳細には、本開示は、ワイヤレス通信ネットワークにおける頻繁なサーバメッセージを減らすことに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、様々なワイヤレスデバイスが都市、国家、地域、さらには地球規模で通信することを可能にする共通プロトコルを提供するために、様々な電気通信規格において採用されている。別の電気通信規格の一例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ（登録商標））によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
頻繁なサーバメッセージを減らすための装置および方法が開示される。一態様によれば、頻繁なサーバメッセージを減らすための方法は、移動局に向けられたネットワークサーバからのサーバ要求を受信することと、移動局にサーバ要求を転送すべきか否かを判断することと、移動局に代わってサーバ要求に少なくとも部分的に基づいてネットワークサーバにサーバ応答を送信することとを含む。
【０００６】
一態様によれば、頻繁なサーバメッセージを減らすための装置は、プロセッサとメモリとを備え、メモリは、移動局に向けられたネットワークサーバからのサーバ要求を受信することと、移動局にサーバ要求を転送すべきか否かを判断することと、移動局に代わってサーバ要求に少なくとも部分的に基づいてネットワークサーバにサーバ応答を送信することとを実行するためのプロセッサによって実行可能なプログラムコードを含む。
【０００７】
一態様によれば、頻繁なサーバメッセージを減らすための装置は、移動局に向けられたネットワークサーバからのサーバ要求を受信するための手段と、移動局にサーバ要求を転送すべきか否かを判断するための手段と、移動局に代わってサーバ要求に少なくとも部分的に基づいてネットワークサーバにサーバ応答を送信するための手段とを含む。
【０００８】
一態様によれば、コンピュータプログラム製品は、移動局に向けられたネットワークサーバからのサーバ要求を受信することと、移動局にサーバ要求を転送すべきか否かを判断することと、移動局に代わってサーバ要求に少なくとも部分的に基づいてネットワークサーバにサーバ応答を送信することとを含む、プログラムコードを記憶したコンピュータ可読媒体を備える。
【０００９】
本開示の利点は、ワイヤレス通信ネットワークにおけるメッセージオーバーヘッドを減らすことを含み得る。
【００１０】
様々な態様が例として図示され説明される、以下の発明を実施するための形態から、当業者には他の態様が容易に明らかになるであろうことを理解されたい。図面および発明を実施するための形態は、本質的に例示的なものと見なされるべきであり、限定的なものと見なされるべきではない。
【図面の簡単な説明】
【００１１】
【図１】サービシングノードを通じてワイヤレスネットワーク通信を容易にするためのワイヤレス通信システムの一例を示す図。
【図２】移動局に送られるサーバ要求の数を減らすためのワイヤレス通信システムの一例を示す図。
【図３】プロキシを使用して移動局に代わってサーバ応答メッセージを送信するためのワイヤレス通信システムの一例を示す図。
【図４】レイヤ２トンネリングプロトコル（Ｌ２ＴＰ）通信におけるキープアライブメッセージの数を減らすためのワイヤレス通信システムの一例を示す図。
【図５】移動局にサーバメッセージを転送する頻度を減らすための流れ図の一例を示す図。
【図６】移動局に転送されるサーバメッセージの数を減らすためのデバイスの一例を示す図。
【図７】本明細書で説明する態様によるサービシングノードの一例を示す図。
【図８】Ｌ２ＴＰトンネルにおけるシグナリングオーバーヘッドを減らすためのコールフローの一例を示す図。
【図９】インスタントメッセンジャー用の例示的なアプリケーションを示す図。
【図１０】移動局にサーバメッセージを転送する頻度を減らすのに適した別のデバイスの一例を示す図。
【図１１】本開示の一態様による、多元接続ワイヤレス通信システムの一例を示す図。
【図１２】本開示の一態様による、ワイヤレス通信システムのブロック図の一例を示す図。
【図１３】移動局にサーバメッセージを転送する頻度を減らすためのプロセスを実行するためにメモリと通信しているプロセッサを備えるデバイスの一例を示す図。
【発明を実施するための形態】
【００１２】
添付の図面とともに以下に示す発明を実施するための形態は、本開示の様々な態様を説明するものであり、本開示が実施され得る唯一の態様を表すものではない。本開示で説明する各態様は、本開示の例または説明として提供するものにすぎず、必ずしも他の態様よりも好適であるまたは有利であると解釈すべきではない。発明を実施するための形態は、本開示の完全な理解を与えるための具体的な詳細を含む。ただし、本開示はこれらの具体的な詳細なしに実施され得ることが当業者には明らかであろう。場合によっては、本開示の概念を不明瞭にしないように、よく知られている構造およびデバイスをブロック図の形式で示す。頭字語および他の記述的専門用語は、単に便宜のために、かつ明瞭にするためにのみ使用され得、本開示の範囲を限定するものではない。
【００１３】
説明を簡単にするために、方法を一連の行為として図示し説明するが、いくつかの行為は、１つまたは複数の態様によれば、本明細書で図示し説明する順序とは異なる順序で、かつ／または他の行為と同時に行われ得るので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、示されたすべての行為が必要とされるとは限らない。
【００１４】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ）と低チップレート（ＬＣＲ）とを含む。ｃｄｍａ２０００は、ＩＳ−２０００規格と、ＩＳ−９５規格と、ＩＳ−８５６規格とをカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。
【００１５】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータであってよいが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置すること、および／または２つ以上のコンピュータ間に分散することができ得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、ならびに／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００１６】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、ｅノードＢ、または何らかの他の用語で呼ばれることもある。
【００１７】
概して、ワイヤレス多元接続通信システムは、複数のワイヤレス端末のための通信を同時にサポートし得る。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【００１８】
アクセス端末は、アプリケーションサーバと通信するアプリケーションクライアントをホストし得る。アプリケーションサーバはアクセス端末に対し、アクセス端末が到達可能であるか否かなど、そのステータスについて知らせるように要求し得る。これは、アクセス端末とアプリケーションサーバとの間でキープアライブメッセージを交換することによって実行され得る。たとえば、ワイヤレス通信システムは、ワイヤレス端末にサーバへのアクセスを提供するパケットデータサービシングノード（ＰＤＳＮ）を含み得る。１つの例示的な構成では、ＰＤＳＮは、ワイヤレス端末とサーバとの間のポイントツーポイントプロトコル（ＰＰＰ）通信を容易にし得る。この例では、サーバはワイヤレス端末に対し、アクティブな接続を確保するために複数のＰＰＰ関連のキープアライブまたはエコー要求を送り得る。ＰＰＰは、一例では、様々な物理層媒体で確立され得る２人のネットワークユーザ間のデータリンクプロトコルである。
【００１９】
一例では、ワイヤレス通信システムは、レイヤ２トンネリングプロトコル（Ｌ２ＴＰ）を使用した通信を許容し得る。一例では、レイヤ２は、ネットワークプロトコルスタックモデルにおける物理層の上のデータリンク層に相当する。この例では、ワイヤレス通信システムは、ＰＤＳＮに実装され得るＬ２ＴＰアクセス集信装置またはＬ２ＴＰアクセスクライアント（ＬＡＣ）を提供し、Ｌ２ＴＰネットワークサーバ（ＬＮＳ）とのワイヤレス端末通信を容易にする。一態様では、ＬＡＣは、ＬＮＳとの間でパケットを転送するＬ２ＴＰトンネルの一方の側におけるネットワークノードである。別の態様では、ＬＮＳは、ＬＡＣとのＰＰＰセッションの論理的終点であるＬ２ＴＰトンネルのもう１つの側におけるネットワークノードである。一例では、ＬＡＣおよびＬＮＳは、Ｌ２ＴＰトンネルにわたってピアとして機能する。
【００２０】
さらに、たとえば、ＬＮＳは、モバイルツーモバイル（Ｍ２Ｍ）サーバに実装され得る。この例では、Ｍ２Ｍサーバと通信するワイヤレス端末（および／またはＰＤＳＮ）を認証するために、認証、認可、および課金（ＡＡＡ）機能または別の構成要素も提供され得る。たとえば、Ｌ２ＴＰは、ＰＰＰ拡張として使用され得る。一例では、Ｍ２Ｍサーバはワイヤレス端末に対し、キープアライブメッセージとしてＬ２ＴＰ制御プロトコル（ＬＣＰ）エコー要求を送ることがあり、これはワイヤレス通信システムにおける追加のシグナリングをもたらす。Ｌ２ＴＰトンネルの２つの側は、異なる組織によって制御され得る。たとえば、ＬＮＳは電気通信サービスプロバイダの責任となり、ＬＡＣはワイヤレス事業者の責任となる場合がある。加えて、電気通信プロバイダは、そのような要求がネットワークサーバから送られる頻度を制御する能力を有さないことがある。したがって、Ｌ２ＴＰの使用は、電気通信プロバイダに望ましくないシグナリングオーバーヘッドをもたらし得る。
【００２１】
本明細書で説明するように、サーバによってワイヤレスデバイスに送られるキープアライブおよび他の接続管理メッセージによって生じる追加のシグナリングを減らすことで、ワイヤレスネットワークの効率性の向上、ワイヤレスデバイスが必要とする処理の軽減、バッテリー寿命の改善などが実現し得る。一例では、応答を求める信号をワイヤレスデバイスに送ることなく、ワイヤレスデバイスに代わってキープアライブメッセージまたはオーバーヘッドメッセージのうちの１つまたは複数に応答するために、プロキシが提供され得る。たとえば、プロキシは、ＰＰＰ構成におけるＰＤＳＮ、Ｌ２ＴＰにおけるＬＡＣ、ＬＴＥにおけるＭＭＥまたはゲートウェイ（たとえば、サービングゲートウェイ、ＰＤＮゲートウェイなど）、ＵＭＴＳにおけるＳＧＳＮなど、ワイヤレスネットワークのサービシングノード内に実装され得る。別の例では、サーバがキープアライブまたは他のメッセージを送信する頻度を減らすこと、ワイヤレスデバイス向けのキープアライブ機能のための異なるメッセージを利用することなどのために、サーバは変更され得る。たとえば、Ｌ２ＴＰ構成では、Ｌ２ＴＰ  Ｈｅｌｌｏメッセージが、ＬＡＣとＬＮＳとの間で、Ｌ２ＴＰにおいて使用されることがあり、ＰＰＰ  ＬＣＰエコー要求／応答メッセージが、ＬＡＣとワイヤレスデバイスとの間で使用されることがある。別の例では、サービシングノードとワイヤレスデバイスとの間のリンクが解除された場合、サービシングノードは、サーバからのキープアライブメッセージまたは他の接続関連メッセージに応答するのを停止し得る。さらに別の例では、アプリケーションサーバとワイヤレスデバイスとの間でエンドツーエンドのキープアライブメッセージを使用する代わりに、ワイヤレスデバイスとＰＤＳＮとの間で利用可能なリンク層情報を使用して、アプリケーションサーバに信号を送ることができる。
【００２２】
図１は、サービシングノードを通じてワイヤレスネットワーク通信を容易にするためのワイヤレス通信システムの一例を示している。システム１００はサービシングノード１０２を含み、サービシングノード１０２は、ＭＳ３０４または１つもしくは複数の異なるデバイスにサーバ１０６へのアクセスを提供する。（たとえば、ＭＳ１０４とサービシングノード１０２との間の１つもしくは複数の基地局もしくは中継ノード、認証、認可、および課金（ＡＡＡ）機能、またはサービシングノード１０２とサーバ１０６との間の１つもしくは複数のゲートウェイノードなど）図示されたノード間の通信を容易にするために、ワイヤレス通信システム１００に追加の構成要素が存在し得ることを諒解されたい。加えて、たとえば、ＭＳ１０４は、サービシングノード１０２を介してサーバ１０６と通信することができるＵＥ、モデム（もしくは他のテザーデバイス）、中継ノード、アクセスポイントなどであってよい。
【００２３】
一例によれば、サービシングノード１０２は、ＭＳ１０４に代わって通信するためのプロキシを実装し得る。たとえば、サービシングノード１０２は、ＰＤＳＮであってよく、ＰＰＰプロキシとして機能して、ＭＳ１０４に向けられたサーバ１０６からのキープアライブおよび／または他のＰＰＰ関連要求を受信し、ＭＳ１０４に信号を送ることなく、要求の少なくとも一部分に応答し得る。一例では、サービシングノード１０２は、ホームエージェント（ＨＡ）、ローカルモビリティアンカーまたはパケットデータネットワークゲートウェイ（Ｐ−ＧＷ）であり得る。サービシングノード１０２に関する本明細書に記載の例が排他的となるように意図されておらず、本開示の範囲および趣旨内で他の例が可能であることを、当業者は理解しよう。一例では、サービシングノード１０２は、ＭＳ１０４との間におけるそれ自体の同様の手順を有してよく、その手順に関して受信された応答に少なくとも部分的に基づいて、サーバ１０６からの要求に応答し得る。たとえば、サーバ１０６は、ＭＳ１０４に向けられたキープアライブ要求をサービシングノード１０２に送信し得る。サービシングノード１０２は、ＭＳ１０４との間でキープアライブおよび／または他のＰＰＰ関連手順を以前に実行していることがあり、その場合、ＭＳ１０４に信号を送ることなく、ＭＳ１０４からの以前の応答を使用して、サーバ１０６からのキープアライブ要求に応答し得る。
【００２４】
一例では、ワイヤレス通信システム１００は、ＰＰＰ拡張としてＬ２ＴＰを使用する。この例では、サーバ１０６は、頻繁なキープアライブ要求をＭＳ１０４に（ＬＡＣとして機能するＰＤＳＮであり得るサービシングノード１０２を介して）送信して、ＭＳ１０４がサービシングノード１０２に接続されていること、および／またはサーバ１０６と通信できることを確認する。たとえば、キープアライブ要求は、ＭＳ１０４に送信されるＬＣＰエコー要求に関係することがあり、これに対するＬＣＰエコー応答が、ＭＳ１０４との接続がアクティブであることを保証することが期待される。サーバ１０６は、サーバ１０６におけるリンク層非アクティビティタイマーに従って、そのようなＬＣＰエコー要求を送信し得る。一例では、リンク層非アクティビティタイマーは、ＰＰＰ非アクティビティタイマーである。
【００２５】
一例では、サービシングノード１０２は、非アクティビティタイマーを利用し、非アクティビティタイマーは、ＭＳ１０４のステータスを維持するために、ＭＳ１０４から通信が受信されるたびにリセットされ得る。サービシングノード１０２における非アクティビティタイマーが、サーバ１０６における非アクティビティタイマーよりも大きい値を有すること、および／またはより高い値に設定できること（この場合、サーバ１０６が設定可能な値を有さないことがある）がある。この点について、サービシングノード１０２が、ＭＳ１０４向けのサーバ１０６からのＬＣＰエコー要求を受信し、ＭＳ１０４向けの非アクティビティタイマーがしきい値（たとえば、非アクティビティを示す値よりも小さい値）を上回っている場合、サービシングノード１０２は、ＬＣＰエコー要求をＭＳ１０４に転送して、ＭＳ１０４がアクティブであるか否かを判断する。サービシングノード１０２は、ＭＳ１０４からＬＣＰエコー応答を受信した場合、ＬＣＰエコー応答をサーバ１０６に転送する。一方、サービシングノード１０２におけるＭＳ１０４向けの非アクティビティタイマーがしきい値を下回っている場合、サービシングノード１０２は、ＭＳ１０４にＬＣＰエコー要求を転送することなく、ＬＣＰエコー応答によりサーバ１０６に応答し得る。
【００２６】
別の例では、サーバ１０６は、ＭＳ１０４向けにキープアライブ要求が送られる頻度を減らすように変更され得る。たとえば、Ｌ２ＴＰでは、サーバ１０６は、キープアライブメッセージとして、ＬＣＰエコー要求ではなくＬ２ＴＰキープアライブ（Ｈｅｌｌｏ）メッセージを使用する。Ｌ２ＴＰキープアライブメッセージは、サービシングノード１０２からの応答を要請するために送信されることがあり、サービシングノード１０２は、ゼロ長本文確認応答（ＺＬＢ  ＡＣＫ：zero length body acknowledgement）により応答することができる。ＭＳ１０４向けの非アクティビティタイマーがしきい値を上回っているとき、サービシングノード１０２は、受信したＬ２ＴＰキープアライブを、ＭＳ１０４向けのＬＣＰエコー要求に変換し得る。それによって、ＭＳ１０４は、ＬＣＰエコー応答によりエコー要求に応答し得、サービシングノード１０２は、Ｌ２ＴＰキープアライブに応答する際に、当該応答を利用し得る。一方、サービシングノード１０２におけるＭＳ１０４向けの非アクティビティタイマーがしきい値を下回っている場合、サービシングノード１０２は、ＭＳ１０４にＬＣＰエコー要求メッセージを送ることなく、Ｌ２ＴＰ  ＺＬＢ  ＡＣＫによりサーバ１０６に応答し得る。
【００２７】
別の例では、サーバ１０６は、ＬＣＰエコー要求がより低い頻度で送信されるように、ＭＳ１０４向けのＬＣＰエコー要求を送る際に、より大きい値を有する非アクティビティタイマーを利用し得る。
【００２８】
図２は、移動局に送られるサーバ要求の数を減らすためのワイヤレス通信システム２００の一例を示している。一例では、ワイヤレス通信システム２００は、図示のようにワイヤレスデバイスにサーバ要求が送信される頻度を減らすのを容易にする。一例では、ワイヤレス通信システム２００はサービシングノード１０２を含み、サービシングノード１０２はＭＳ１０４に対し、サーバ１０６を介したワイヤレスネットワークへのアクセスを提供することができる。一例では、サービシングノード１０２は、ＭＳ、サービシングノード、または別のデバイスに向けられた１つまたは複数のサーバ要求を取得するサーバ要求受信構成要素２０２を含む。一例では、サービシングノード１０２は、サーバに応答を送信するサーバ要求応答構成要素２０４を含む。サービシングノード１０２はまた、ＭＳにサーバ要求を通信するサーバ要求転送構成要素２０６を含み得る。サービシングノード１０２はまた、ＭＳから応答を取得するサーバ応答受信構成要素２０８を含み得る。
【００２９】
一例によれば、サーバ１０６は、サービシングノード１０２を通じてＭＳ１０４に関係するサーバ要求を送信する。たとえば、サーバ要求は、（たとえば、サーバ１０６における非アクティビティタイマーの終了に伴い送信される）キープアライブ要求、ステータス要求などであり得る。サーバ要求受信構成要素２０２は、サーバ要求を取得し、調べることがあり、それによりＭＳ１０４に信号を送ることなく応答すべきか否かが判断され得る。たとえば、要求がキープアライブ要求である場合、サーバ要求応答構成要素２０４がＭＳ１０４に代わってサーバ１０６にキープアライブ応答を送信する。
【００３０】
一例では、サーバ要求応答構成要素２０４は、サービシングノード１０２とＭＳ１０４との間で以前に実行されたキープアライブ手順に少なくとも部分的に基づいて、そのように動作する。一例では、サーバ１０６はインスタントメッセージング（ＩＭ）サーバであり、ＩＭサーバはＭＳ１０４にキープアライブ要求を送信して、ＭＳ１０４がサーバ１０６からＩＭを受信できるようにアクティブになっていることを確認する。サービシングノード１０２も、ＰＰＰ接続の維持の一部として、同様の手順を実行し得る。したがって、サービシングノード１０２がＰＰＰ接続キープアライブからの応答を有するとき、サーバ要求応答構成要素２０４は、ＭＳ１０４に信号を送ることなく、サーバ１０６に対し、ＰＰＰ接続キープアライブまたはＰＰＰ接続キープアライブに基づく応答を転送する。別の例では、サーバ要求応答構成要素２０４は、そのような要求を受信することなく、サーバ１０６にキープアライブまたは同様のメッセージを送信する。さらに別の例では、ワイヤレスデバイスから受信したＰＰＰキープアライブメッセージは、サービングノードによってＩＭキープアライブメッセージに変換され、サーバに送られる。
【００３１】
別の例では、サービシングノード１０２は、ＭＳ１０４にＬ２ＴＰトンネルを提供するために、ＬＡＣを実装し、サーバ１０６は、ＬＮＳを実装する（たとえば、サーバ１０６は、Ｍ２Ｍサーバであり得る）。この例では、サービシングノード１０２は、サーバ１０６からキープアライブ要求（たとえば、ＬＣＰエコー要求または同様の要求）を受信し得る。サービシングノード１０２は、サーバ１０６からＭＳ１０４にＬ２ＴＰトンネルを介して送信されるパケットを調べることがあり、サーバ要求受信構成要素２０２は、ＬＣＰエコー要求を取得することがある。一例では、サーバ要求応答構成要素２０４は、ＭＳ１０４に対して割り込むこと、または信号を送ることなく、サーバ１０６にＬＣＰエコー応答を送信し得る。
【００３２】
別の例では、サーバ要求受信構成要素２０２がサーバ１０６からキープアライブ要求を取得すると、サーバ要求転送構成要素２０６は、ＭＳ１０４に関係するサービシングノード１０２における非アクティビティタイマー（または同様のタイマー）に少なくとも部分的に基づいて、ＭＳ１０４にキープアライブ要求を通信すべきか否かを判断し得る。したがって、たとえば、非アクティビティタイマーが、非アクティビティを示す終了値からしきい値の範囲内にある場合、サーバ要求転送構成要素２０６は、ＭＳ１０４にキープアライブ要求を送信し得る。一態様では、アプリケーションレベルのキープアライブメッセージが、情報交換によって検出され得る。一例では、情報交換は、ＭＳ１０４とサービシングノード１０２との間である。別の例では、情報交換は、サービシングノード１０２とサーバ１０６との間である。一態様では、情報交換は、ソースＩＰアドレス、ターゲットＩＰアドレス、ソースポート番号、ターゲットポート番号、プロトコル識別子、オフセットアプリケーションキープアライブメッセージ識別子（またはアプリケーションキープアライブメッセージ識別子の位置）、アプリケーションキープアライブタイマーなどのパケットフィルタ情報を含む。一例では、情報交換が生じた後、サービシングノード１０２は、ＭＳ１０４に代わってプロキシとして動作し始める。
【００３３】
一例によれば、ＭＳ１０４はサービシングノード１０２に対し、キープアライブ要求に関係するキープアライブ応答を送信する。サーバ応答受信構成要素２０８は、この例では、ＭＳ１０４からキープアライブ応答を取得することがあり、サーバ要求応答構成要素２０４はサーバ１０６に対し、キープアライブ応答または関係する応答を転送することがある。したがって、たとえば、サービシングノード１０２は、ＭＳ１０４に対し割り込むことなく、ＭＳ１０４に関係するサーバ１０６からのキープアライブ要求の少なくとも一部分に応答し得る。サーバ応答受信構成要素２０８は、ＭＳ１０４からのキープアライブ応答を取得すると、非アクティビティタイマーをリセットし得ることを諒解されたい。別の例では、サービシングノード１０２は、ＰＰＰを介してＭＳ１０４から実質的にどんな通信を受信しても、非アクティビティタイマーをリセットする。
【００３４】
Ｌ２ＴＰを使用した別の例では、サーバ１０６は、ＭＳ１０４に関係するＬＣＰエコー要求の代わりに、サービシングノード１０２との間でＬ２ＴＰキープアライブ（Ｈｅｌｌｏ）メッセージを利用する。サービシングノード１０２は、ＭＳ１０４がアクティブであることを確認する。この点について、サーバ１０６はサービシングノード１０２に対し、Ｌ２ＴＰキープアライブメッセージを送信することがあり、サーバ要求受信構成要素１０２はＬ２ＴＰキープアライブメッセージを受信することがあり、サーバ要求転送構成要素２０６は、ＭＳ１０４に関係する非アクティビティタイマーが非アクティビティを示す値のしきい値差の範囲内にあるか否かを判断することがある。しきい値差の範囲内にある場合、サーバ要求転送構成要素２０６はＭＳ１０４に対し、ＬＣＰエコー要求を送信する。サーバ応答受信構成要素２０８がＭＳ１０４からのＬＣＰエコー応答を取得した場合、サーバ要求応答構成要素２０４はサーバ１０６に対し、Ｌ２ＴＰキープアライブメッセージに応答して、ＺＬＢ  ＡＣＫを送信し得る。非アクティビティタイマーがしきい値差の範囲内にないとサーバ要求受信構成要素４２２が判断した場合、サーバ要求応答構成要素２０４はサーバ１０６に対し、ＺＬＢ  ＡＣＫを送信する。説明したように、サーバ応答受信構成要素２０８は、ＭＳ１０４からキープアライブ応答を受信すると、非アクティビティタイマーをリセットし得ることを諒解されたい。
【００３５】
さらに別の例では、サービシングノード１０２は、ＬＴＥにおけるモビリティ管理エンティティ（ＭＭＥ）またはゲートウェイである。一例では、サービシングノード１０２は、ＭＳ１０４とサーバ１０６との間にＧＰＲＳトンネリングプロトコル（ＧＴＰ）トンネルを確立し得る。サーバ１０６も同様に、サービシングノード１０２を通じて、ＭＳ１０４のキープアライブメッセージ、ステータスメッセージ、または他の接続関係情報を要求し得る。サーバ要求受信構成要素２０２も同様に、そのような要求を受信することがあり、サーバ要求応答構成要素２０４は、（たとえば、サービシングノード１０２が利用可能な情報に応じて）ＭＳ１０４に信号を送って、または送ることなく、サーバ１０６に応答を送信することがある。ＭＳ１０４からの応答が必要な場合、サーバ要求転送構成要素２０６はＭＳ１０４に対し、当該要求または関係する要求を送信し、サーバ応答受信構成要素２０８は、ＭＳ１０４からの応答メッセージを取得することがあり、サーバ要求応答構成要素２０４はそれをサーバ１０６に送信し得る。
【００３６】
ＬＴＥにおいてサービシングノード１０２に対し、サーバ１０６がキープアライブメッセージを要求したとき、サーバ要求応答構成要素２０４は、トラッキングエリアアップデートタイマー（Tracking-Area-Update timer）（たとえば、および／または説明したように、タイマーが、通信がアクティブでないことを示す値からのしきい値差の範囲内であるか否か）に少なくとも部分的に基づいて、ＭＥ１０４との通信がアクティブか否かを判断し得る。さらに、たとえば、サービシングノード１０２は、ＵＭＴＳにおけるサービングＧＰＲＳサポートノード（ＳＧＳＮ：serving GPRS support node）であってよく、ＵＭＴＳにおけるＭＳ１０４とサーバ１０６との間の同様の機能を提供し得る。
【００３７】
図３は、プロキシを使用して移動局に代わってサーバ応答メッセージを送信するためのワイヤレス通信システム３００の一例を示している。一例では、ワイヤレス通信システム３００は、プロキシを使用してサーバ応答を送信するのを容易にする。図３に示すように、ワイヤレス通信システム３００は、サービシングノード１０２にプロキシを含み、これにより少なくとも１つのＭＳ１０４にＩＭサーバ３０２へのアクセスが提供される。たとえば、ＭＳ１０４は、ＰＰＰ接続、Ｌ２ＴＰ接続、ＧＴＰ接続（たとえば、ＬＴＥにおけるもの）などを通じてサービシングノード１０２を介してＩＭサーバ３０２と通信することができるＵＥ、モデム（または他のテザーデバイス）、中継ノード、アクセスポイントなどであってよい。加えて、図示のノード間の通信を容易にするために、ワイヤレス通信システム３００に追加の構成要素が存在し得ることを諒解されたい。
【００３８】
一例によれば、ＭＳ１０４は、サービシングノード１０２との間で通信プロトコルをセットアップ３０４し得る。たとえば、ＭＳ１０４は、（たとえば、サービシングノード１０２を介して）ＩＭサーバ３０２との間でＴＣＰ／ＩＰセッション確立またはＩＭオープン要求５０６（および／または同様のもの）を確立し得る。ＭＳ１０４が以前にサービシングノード１０２および場合によってはプロキシコンテキストとの間で接続をセットアップしていることがあることを諒解されたい。接続されると、ＭＳ１０４はまた、サービシングノード１０２を通じてＩＭサーバ３０２との間でＩＭ信号を送受信するために、サービシングノード１０２との間でプロキシシグナリングを確立３０８し得る。たとえば、サービシングノード１０２は、ＭＳ１０４に代わってＩＭサーバ３０２に対し、キープアライブメッセージ３１０と、３１２と、３１４とを送信し得る。たとえば、サービシングノード１０２は、ＩＭサーバ３０２から要請されることなく、キープアライブメッセージ３１０と、３１２と、３１４とを転送し得る。加えて、サービシングノード１０２は、ＭＳ１０４のコンテキストを記憶することがあり、キープアライブメッセージ３１０、３１２、もしくは３１４、ステータスメッセージ、または他のメッセージが、（たとえば、そのようなメッセージを送るためのタイマーを含み得る）コンテキストに少なくとも部分的に基づいて送信されることがある。別の例では、サービシングノード１０２は、記憶されているコンテキストに少なくとも部分的に基づいて、ＭＳ１０４とＩＭサーバ３０２との間の通信のためのヘッダを圧縮するのを容易にする。
【００３９】
図４は、Ｌ２ＴＰ通信におけるキープアライブメッセージの数を減らすためのワイヤレス通信システム４００の一例を示している。一例では、ワイヤレス通信システム４００は、ＭＳに送信されるＬＣＰエコー要求を減らすのを容易にする。図４に示すように、ワイヤレス通信システム４００は、パケットデータサービングノード（ＰＤＳＮ）４０２を含み、ＰＤＳＮ４０２はＬＡＣであってよく、Ｍ２Ｍサーバ４０４を介してＭＳ１０４にネットワークアクセスを提供し、Ｍ２Ｍサーバ４０４はＬＮＳであってよい。加えて、ワイヤレス通信システム４００は、Ｍ２Ｍサーバ４０４との通信に際してＰＤＳＮ４０２および／またはＭＳ１０４を認証するために、ＰＤＳＮ４０２とＭ２Ｍサーバ４０４との間に認証、認可、および課金（ＡＡＡ）モジュール４０６を含み得る。
【００４０】
一例によれば、ＭＳ１０４は、ＰＰＰセッションを確立するために、ＰＤＳＮ４０２との間でＬＣＰ交渉４０８を実行する。この例では、ＰＤＳＮ４０２は４１０において、ＭＳ１０４に対し認証情報を要求し、受信した認証情報をＡＡＡ４０６に提供することがある。加えて、４１０において、ＡＡＡ４０６はＭＳ１０４を認証することがあり、ＰＤＳＮ４０２を通じてＭＳ１０４に確認応答および／またはさらなる認証情報を転送することがある。ＰＤＳＮ４０２はその後、ＭＳ１０４にＬ２ＴＰセッション（または関係するトンネル）を提供するために、ＬＮＳ（たとえば、Ｍ２Ｍサーバ）４０４に対するＬＣＰ状態および認証状態転送４１２により、Ｌ２ＴＰトンネルを交渉し得る。加えて、たとえば、ＭＳ１０４は、Ｍ２Ｍサーバ４０４と通信するにあたりＩＰアドレスおよび／または他のアドレスを受信するために、Ｍ２Ｍサーバ４０４との間でインターネットプロトコル制御プロトコル（ＩＰＣＰ）を交渉４１４することがあり、ＭＳ１０４はＭ２Ｍサーバ４０４に対し、Ｌ２ＴＰトンネルを通じてデータを送信４１６し得る。
【００４１】
一例では、ＭＳ１０４のために確立されたＬ２ＴＰセッションの一部として、Ｍ２Ｍサーバ４０４は、ＭＳ１０４がアクティブであることを確認するために、ＭＳ１０４に関係するＬＣＰエコー要求４１８を送信する。ＰＤＳＮ４０２は、ＭＳ１０４向けのＬＣＰエコー要求を受信することがあり、当該要求を調べることがある。たとえば、ＰＤＳＮ４０２は、４２０においてタイマー（たとえば、ＰＰＰ非アクティビティタイマー）をチェックして、ＭＳ１０４にＬＣＰエコー要求を転送すべきか否かを判断し得る。この例では、タイマーは、タイマーとＰＰＰ非アクティビティを示す値との間のしきい値差の範囲外にあることがあり、その場合、ＰＤＳＮ４０２は、ＭＳ１０４に転送することなく、Ｍ２Ｍサーバ４０４にＬＣＰエコー応答４２２を送信し得る。
【００４２】
その後（たとえば、１つまたは複数の追加のＬＣＰエコー要求などの後）、Ｍ２Ｍサーバ４０４は、ＭＳ１０４向けの別のＬＣＰエコー要求４２４を送信し得る。ＰＤＳＮ４０２は、当該要求を調べることがあり、４２６において再びタイマーをチェックすることがある。この例では、タイマーが上述のしきい値差の範囲内にある（または、一例では終了している）ことがあり、その場合、ＰＤＳＮ４０２はＭＳ１０４にＬＣＰエコー要求４２８を転送し得る。ＭＳ１０４は、Ｍ２Ｍサーバ４０４に提供するためのＬＣＰエコー応答４３０をＰＤＳＮ４０２に送ることがあり、ＰＤＳＮ４０２は、Ｍ２Ｍサーバ４０４にＬＣＰエコー応答４３２を提供することがある。ＰＤＳＮ４０２は、ＬＣＰエコー応答４３０を受信するとタイマーをリセットし得ることを諒解されたい。別の例では、ＬＣＰエコー要求４１８および４２４は、Ｌ２ＴＰキープアライブ（Ｈｅｌｌｏ）メッセージであってよく、ＬＣＰエコー応答４２２および４３２は、ＺＬＢ  ＡＣＫであってよい。
【００４３】
図５は、移動局にサーバメッセージを転送する頻度を減らすための流れ図５００の一例を示している。一例では、流れ図５００は、移動局に送られるサーバ要求の数を減らすことを容易にすることができる。５０２において、ネットワークサーバから移動局に向けられたサーバ要求を受信する。要求は、キープアライブ要求（たとえば、ＬＣＰエコー要求、Ｌ２ＴＰキープアライブ（Ｈｅｌｌｏ）メッセージなど）、ステータス要求などであり得る。加えて、一例では、ネットワークサーバは、ＩＭサーバ、ＬＮＳなどであり得る。５０４において、移動局にサーバ要求を転送すべきか否かを判断する。たとえば、この判断は、移動局に関係する非アクティビティタイマー、移動局に関する記憶されているコンテキストなどに少なくとも部分的に基づいて行われ得る。一例では、判断するステップは、キープアライブ応答を受信することに伴い非アクティビティタイマーをリセットすることを含む。一態様では、判断するステップは、非アクティビティタイマーの値に少なくとも部分的に基づいて移動局にキープアライブ要求を転送することと、キープアライブ応答であるサーバ応答を移動局から受信することとをさらに備える。一態様では、判断するステップは、Ｌ２ＴＰキープアライブメッセージをポイントツーポイントプロトコル（ＰＰＰ）リンク制御プロトコル（ＬＣＰ）エコー要求に変換することと、非アクティビティタイマーの値に少なくとも部分的に基づいて移動局にＰＰＰ  ＬＣＰエコー要求を送信することとをさらに備える。別の態様では、判断するステップは、移動局からＬＣＰエコー応答を受信することと、ＬＣＰエコー応答を受信することに少なくとも部分的に基づいて、Ｌ２ＴＰキープアライブメッセージに応答してネットワークサーバにゼロ長本文確認応答を送信することとをさらに備える。
【００４４】
５０６において、サーバ要求に少なくとも部分的に基づいてネットワークサーバにサーバ応答を送信する。したがって、たとえばサーバ応答は、移動局にサーバ要求を転送したことに応答して移動局から受信されること、または移動局に対して割り込むことなく送信されることがある。サーバ応答は、キープアライブ応答（たとえば、ＬＣＰエコー応答）、ステータス応答などであり得る。
【００４５】
図６は、移動局に転送されるサーバメッセージの数を減らすためのデバイス６００の一例を示している。一例では、デバイス６００は、関係するサーバ要求をモバイルデバイスに転送して、または転送することなく、サーバ応答を送信するのを容易にし得る。たとえば、デバイス６００は、少なくとも部分的に基地局、モバイルデバイスなどの内部に常駐し得る。デバイス６００は機能ブロックを含むものとして表されており、この機能ブロックは、プロセッサ、ソフトウェア、またはそれらの組合せ（たとえば、ファームウェア）によって実装される機能を表す機能ブロックであり得ることを諒解されたい。一態様では、デバイス６００は、連携して動作することができる電気的構成要素の論理グルーピング６０２を含む。たとえば、論理グルーピング６０２は、移動局に向けられたネットワークサーバからのサーバ要求を受信するための電気的構成要素６０４を含み得る。たとえば、サーバ要求は、ＬＣＰエコー要求、Ｌ２ＴＰキープアライブ（Ｈｅｌｌｏ）メッセージなどに関係し得る。加えて、ネットワークサーバは、ＩＭサーバ、ＬＮＳなどであり得る。
【００４６】
さらに、論理グルーピング６０２は、移動局にサーバ要求を転送すべきか否かを判断するための電気的構成要素６０６を含み得る。また、一例ではこれは、サーバ要求がキープアライブ要求である場合に、移動局に関係する非アクティビティタイマーの値を判断することを含み得る。たとえば、非アクティビティタイマー値が、非アクティビティを示す値からのしきい値差を下回る場合、電気的構成要素６０６は移動局にキープアライブ要求を転送し得る。論理グルーピング６０２は、移動局に代わってサーバ要求に少なくとも部分的に基づいてネットワークサーバにサーバ応答を送信するための電気的構成要素６０８をさらに含み得る。したがって、電気的構成要素６０６がサーバ要求を転送するか転送しないかにかかわらず、電気的構成要素６０８はサーバ応答を送信し得る。
【００４７】
さらに、論理グルーピング６１０は、移動局からサーバ応答を受信するための電気的構成要素６１０を含み得る。これは、電気的構成要素６０６が（たとえば、ローカル非アクティビティタイマーに少なくとも部分的に基づいて、移動局から以前に受信されたローカルパラメータが存在していない情報を取得するために、など）移動局にサーバ要求を転送した場合に生じ得る。さらに、デバイス６００は、電気的構成要素６０４、６０６、６０８および６１０に関連付けられた機能を実行するための命令を保持するメモリ６１２を含み得る。電気的構成要素６０４、６０６、６０８および６１０は、メモリ６１２の外部にあるものとして示されているが、これらのうちの１つまたは複数は、メモリ６１２の内部に存在し得ることを理解されたい。
【００４８】
図７は、本明細書で説明する態様によるサービシングノードの一例を示している。一例では、サービシングノード７００は、本明細書で説明する構成要素および機能のうちの１つまたは複数に関連する処理機能を実行するためのプロセッサ７０２を含む。プロセッサ７０２は、プロセッサまたはマルチコアプロセッサの単一または複数のセットを含み得る。さらに、プロセッサ７０２は、統合処理システムおよび／または分散処理システムとして実装され得る。
【００４９】
一態様では、サービシングノード７００は、プロセッサ７０２によって実行されているアプリケーションのローカルバージョンを記憶するためなどのメモリ７０４をさらに含む。メモリ７０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータが使用できるタイプのメモリを含み得る。
【００５０】
さらに、一態様では、サービシングノード７００は、本明細書で説明するように、ハードウェア、ソフトウェア、およびサービスを利用して、１つまたは複数の相手との通信を確立し、維持することを行う通信構成要素７０６を含む。通信構成要素７０６は、サービシングノード７００上の構成要素間、ならびにサービシングノード７００と、通信ネットワーク上に位置するデバイスおよび／あるいはサービシングノード７００に直列またはローカルに接続されたデバイスなどの外部デバイスとの間の通信を伝え得る。たとえば、通信構成要素７０６は、１つまたは複数のバスを含み得、それぞれ送信機および受信機に関連する、外部デバイスとワイヤレスに、または有線でインターフェースするように動作可能な送信チェーン構成要素および受信チェーン構成要素をさらに含み得る。
【００５１】
さらに、サービシングノード７００は、データストア７０８をさらに含み得、データストア７０８は、本明細書で説明する態様に関連して採用される情報、データベース、およびプログラムの大容量記憶を提供するハードウェアおよび／またはソフトウェアの任意の適切な組合せであり得る。たとえば、データストア７０８は、プロセッサ７０２によって現在実行されていないアプリケーションのためのデータリポジトリであり得る。
【００５２】
サービシングノード７００は、サービシングノード７００のユーザから入力を受信するように動作可能であり、ユーザへの提示のための出力を生成するようにさらに動作可能な、ユーザインターフェース構成要素７１０をさらに含み得る。ユーザインターフェース構成要素７１０は、限定はしないが、キーボード、テンキー、マウス、タッチセンシティブディスプレイ、ナビゲーションキー、ファンクションキー、マイクロフォン、音声認識構成要素、ユーザから入力を受けることが可能な任意の他の機構、またはそれらの任意の組合せを含む、１つまたは複数の入力デバイスを含み得る。さらに、ユーザインターフェース構成要素７１０は、限定はしないが、ディスプレイ、スピーカー、触覚フィードバック機構、プリンタ、出力をユーザに提示することが可能な任意の他の機構、またはそれらの任意の組合せを含む、１つまたは複数の出力デバイスを含み得る。
【００５３】
サービシングノード７００は、ネットワークサーバからＭＳ向けの１つまたは複数のサーバ要求を取得し得るサーバ要求受信構成要素２０２と、（たとえば、ＭＳからの応答に基づく、またはＭＳに信号を送らないようにローカルに生成され送信される）サーバ応答をネットワークサーバに送信するサーバ要求応答構成要素２０４と、受信したサーバ要求をＭＳに送信するサーバ要求転送構成要素２０６と、要求の送信先であるＭＳからサーバ応答を取得するサーバ応答受信構成要素２０８とを含み得る。たとえば、通信構成要素６０６は、サーバ要求またはサーバ応答を含む通信を受信するのを容易にすることがあり、そのようなものを含む通信を送信するのをさらに容易にすることがある。さらに、プロセッサ６０２は、たとえば、構成要素２０２、２０４、２０６、および２０８のうちの１つまたは複数を実行し得る。
【００５４】
一態様では、Ｌ２ＴＰは、セルラー事業者とサービスプロバイダとの間のＰＰＰ拡張として使用され得る。しかしながら、ＬＮＳにおいてＰＰＰによって実行されるキープアライブメッセージは、セルラー事業者ネットワークに対する不要なシグナリングを生じさせかねない。一般に事業者は、サービスプロバイダが所有するいかなるネットワークエンティティも制御することができない。ゲートウェイ、たとえば、セルラーネットワークにおけるＰＤＳＮは、ＬＮＳによって送られるキープアライブメッセージを制御するためのプロキシであってよく、その結果、エアインターフェースおよびバックホール（backhaul）リンクを介した事業者のネットワークにおける不要なシグナリングが減少し得る。
【００５５】
一例では、ネットワークは、Ｌ２ＴＰを使用するＭ２ＭサーバおよびＰＤＳＮ（ＬＮＳがＭ２Ｍサーバに位置し、ＬＡＣがＰＤＳＮに位置する場合）と、ＲＦＣ２６６１（Ｌ２ＴＰ  ｖ２）、ＲＦＣ２８６７（ＲＡＤＩＵＳ  Ａｃｃｏｕｎｔｉｎｇ  Ｍｏｄｉｆｉｃａｔｉｏｎｓ  ｆｏｒ  Ｔｕｎｎｅｌ  Ｐｒｏｔｏｃｏｌ  Ｓｕｐｐｏｒｔ）、およびＲＦＣ２８６８（ＲＡＤＩＵＳ  Ａｔｔｒｉｂｕｔｅｓ  ｆｏｒ  Ｔｕｎｎｅｌ  Ｓｕｐｐｏｒｔ）のようないくつかのＲｅｑｕｅｓｔ  ｆｏｒ  Ｃｏｍｍｅｎｔｓ（ＲＦＣ）とを有し得る。別の例では、Ｍ２Ｍサーバは、キープアライブメッセージをしばしば送る（キープアライブメッセージがＰＰＰ  ＬＣＰエコー要求とＰＰＰ  ＬＣＰエコー応答とを使用する場合）。このステップは、エアインターフェースおよびネットワークに不要なトラフィックを相当加えかねない。場合によっては、当事者はＭ２Ｍサーバを制御できないこともある。
【００５６】
図８は、Ｌ２ＴＰトンネルにおけるシグナリングオーバーヘッドを減らすためのコールフローの一例を示している。この実装形態にはいくつかのオプションがある。第１のオプションでは、ＰＤＳＮ（ＬＡＣ）がＰＰＰプロキシとして機能し得る。一態様では、ＰＤＳＮはＬ２ＴＰにおいてＰＰＰパケットを調べ、ＰＰＰパケットがＬＣＰエコー要求である場合であって、ＰＤＳＮに設定されているＰＰＰ非アクティビティタイマーが終了間近である場合に、ＰＤＳＮはＭＳにＬＣＰエコー要求を転送し、ＭＳからＬＣＰエコー応答を受信した後にＰＰＰ非アクティビティタイマーをリセットし、次いでＬＮＳにＬＣＰエコー応答を転送し得る。他の場合は、ＰＤＳＮは、ＭＳにＬＣＰエコー要求を転送することなく、ＬＮＳに対しＭＳに代わってＬＣＰエコー応答により応答し得る。
【００５７】
第２のオプションでは、ＬＮＳは、Ｌ２ＴＰキープアライブ（Ｈｅｌｌｏ）メッセージを使用することがあり、必要な場合には、ＰＤＳＮはＬ２ＴＰ  ＨｅｌｌｏメッセージをＬＣＰエコー要求に変換する。ＰＤＳＮに設定されているＰＰＰ非アクティビティタイマーが終了間近である場合、ＰＤＳＮはＭＳにＬＣＰエコー要求を送り、ＭＳからＬＣＰエコー応答を受信した後にＰＰＰ非アクティビティタイマーをリセットし、次いでＬＮＳにＬ２ＴＰ  ＺＬＢ  ＡＣＫを送り得る。
【００５８】
第３のオプションでは、ＬＮＳにおけるＰＰＰ非アクティビティタイマーが大きい値に設定されることがあり、それによりＬＮＳがＬＣＰエコー要求メッセージをより少ない頻度で送ることになる。
【００５９】
図９は、インスタントメッセンジャー用の例示的なアプリケーションを示している。一例では、図９は、移動局に必然的に信号を送ることなく、移動局向けのステータス要求を処理するプロキシを実装するための例示的な実装形態を示している。図示のように、アクセス端末（ＡＴ）とＩＭサーバとの間のアプリケーションシグナリングによる従来技術の実装形態は、ＡＴに代わってキープアライブメッセージを送り得るＰＤＳＮ上のプロキシに置き換えられる。
【００６０】
一態様では、アプリケーションプロキシがＰＤＳＮに確立され得る。アプリケーションプロキシは、ＵＥに代わって、アプリケーションサーバにより、ユーザ生成データを含まないシグナリングを実行し得る。シグナリングの例には、キープアライブメッセージ、ステータス更新メッセージなどがある。一例では、ＰＤＳＮにおいて知られているＰＰＰリンクステータスを使用して、アプリケーション層キープアライブメッセージを生成し得る。
【００６１】
別の態様では、アプリケーションプロキシの使用は、いくつかの利点を有し、たとえば、「存在」の指示に基づくアプリケーションレベルシグナリングが、たとえば、インスタントメッセージング（ＩＭ）の場合にプロキシによって処理され得る。プロキシにおいてコンテキストが維持されている場合、アプリケーションヘッダ圧縮が、ＡＴとアプリケーションプロキシとの間で用いられ得る。たとえば、ＧＥＴｚｉｐは、ｈｔｔｐベースの圧縮の一例である。
【００６２】
別の態様では、アプリケーションプロキシが、存在情報に役立つＡＴのリンクステータスを把握しているエンティティに位置し得る。ＨＲＰＤの一例では、ＰＤＳＮ／ＨＳＧＷはＡＴのリンクステータスを把握し得る。別の例では、アプリケーションプロキシがアプリケーションライターによって提供され得るが、この場合、アプリケーションプロキシは、ＰＤＳＮから来るリンクレベル情報を利用してもよい。ＰＤＳＮは、アプリケーションプロキシが使用し得るアプリケーションプログラミングインターフェース（ＡＰＩ）、たとえば、リンクステータス、サービス品質（ＱｏＳ）メトリクスなどを提供し得る。別の例では、ＰＤＳＮは、ポート番号に基づいてアプリケーションパケットを識別し、インターセプトするためのディープパケットインスペクション（ＤＰＩ）を採用し得る。
【００６３】
図５の例示的な流れ図に開示したステップは、本開示の範囲および趣旨から逸脱することなくそれらの順序を交換され得ることを当業者ならば理解されよう。また、流れ図に示すステップは排他的なものではなく、本開示の範囲および趣旨に影響を及ぼすことなく他のステップを含み得るかあるいは例示的な流れ図のステップのうちの１つまたは複数を削除し得ることを当業者ならば理解されよう。
【００６４】
さらに、本明細書で開示する例に関して説明する様々な例示的な構成要素、論理ブロック、モジュール、回路、および／またはアルゴリズムステップは、電子ハードウェア、ファームウェア、コンピュータソフトウェア、またはそれらの組合せとして実装され得ることを当業者ならば諒解されよう。ハードウェア、ファームウェア、およびソフトウェアのこの互換性を明確に示すために、様々な例示的な構成要素、ブロック、モジュール、回路、および／またはアルゴリズムステップについて、上記では概してそれらの機能に関して説明した。そのような機能をハードウェアとして実装するか、ファームウェアとして実装するか、またはソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲または趣旨からの逸脱を生じるものと解釈すべきではない。
【００６５】
たとえば、ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。ソフトウェアの場合、実装は、本明細書で説明する機能を実行するモジュール（たとえば、プロシージャ、関数など）を介し得る。ソフトウェアコードは、メモリユニットに記憶され、プロセッサユニットによって実行され得る。さらに、本明細書で説明する様々な例示的な流れ図、論理ブロック、モジュール、および／またはアルゴリズムステップは、当技術分野で知られている任意のコンピュータ可読媒体上で搬送されるかまたは当技術分野で知られている任意のコンピュータプログラム製品に実装されたコンピュータ可読命令としてもコード化され得る。一態様では、コンピュータ可読媒体は非一時的コンピュータ可読媒体を含む。
【００６６】
１つまたは複数の例では、本明細書で説明するステップまたは機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザで光学的に再生する。上記の組合せもコンピュータ可読媒体の範囲内に含めるべきである。
【００６７】
図１０は、移動局にサーバメッセージを転送する頻度を減らすのに適したデバイス１０００の一例を示している。一態様では、デバイス１０００は、本明細書のブロック１０１０、１０２０、および１０３０において説明するように、移動局にサーバメッセージを転送する頻度を減らすことの異なる態様を提供するように構成された１つまたは複数のモジュールを備える少なくとも１つのプロセッサによって実装される。たとえば、各モジュールはハードウェア、ファームウェア、ソフトウェア、またはそれらの任意の組合せを含む。一態様では、デバイス１０００は、少なくとも１つのプロセッサと通信している少なくとも１つのメモリによっても実装される。
【００６８】
図１１は、本開示の一態様による、多元接続ワイヤレス通信システムの一例を示している。図１１では、アクセスポイント１１００（ＡＰ）は、複数のアンテナグループを含み、あるアンテナグループは１１０４と１１０６とを含み、別のアンテナグループは１１０８と１１１０とを含み、追加のアンテナグループは１１１２と１１１４とを含む。図１１では、アンテナグループごとに２つのアンテナのみが示されているが、アンテナグループごとにより多いまたはより少ないアンテナが利用され得る。アクセス端末１１１６（ＡＴ）はアンテナ１１１２および１１１４と通信中であり、アンテナ１１１２および１１１４は、順方向リンク１１２０上でアクセス端末１１１６に情報を送信し、逆方向リンク１１１８上でアクセス端末１１１６から情報を受信する。アクセス端末１１２２はアンテナ１１０６および１１０８と通信中であり、アンテナ１１０６および１１０８は、順方向リンク１１２６上でアクセス端末１１２２に情報を送信し、逆方向リンク１１２４上でアクセス端末１１２２から情報を受信する。ＦＤＤシステムでは、通信リンク１１１８、１１２０、１１２４および１１２６は、通信のための異なる周波数を使用することができる。たとえば、順方向リンク１１２０は、逆方向リンク１１１８によって使用される周波数とは異なる周波数を使用し得る。
【００６９】
アンテナの各グループ、および／またはアンテナが通信するように設計された領域は、しばしば、アクセスポイントのセクタと呼ばれる。一例では、アンテナグループはそれぞれ、アクセスポイント１１００によってカバーされる領域のセクタ内でアクセス端末に通信するように設計される。
【００７０】
順方向リンク１１２０および１１２６上の通信では、アクセスポイント１１００の送信アンテナは、異なるアクセス端末１１１６および１１２４に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００７１】
アクセスポイントは、端末との通信に使用される固定局でもよく、アクセスポイント、ノードＢ、ｅノードＢまたは何らかの他の用語で呼ばれることもある。アクセス端末は、アクセス端末、ユーザ機器（ＵＥ）、ワイヤレス通信デバイス、端末、アクセス端末または何らかの他の用語で呼ばれることもある。
【００７２】
図１２は、本開示の一態様による、ワイヤレス通信システムのブロック図の一例を示している。図１２には、ＭＩＭＯシステム１２００における（アクセスポイントとしても知られる）送信機システム１２１０および（アクセス端末としても知られる）受信機システム１２５０が示されている。送信機システム１２１０において、いくつかのデータストリームのトラフィックデータがデータソース１２１２から送信（ＴＸ）データプロセッサ１２１４に供給される。一例では、各データストリームは、それぞれの送信アンテナを介して送信される。ＴＸデータプロセッサ１２１４は、データストリーム用に選択された特定のコーディング方式に基づいて、そのデータストリームごとにトラフィックデータをフォーマットし、コーディングし、インターリーブして、コード化データを供給する。
【００７３】
各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。次いで、各データストリームの多重化されたパイロットデータおよびコード化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１２３０によって実行される命令によって判断され得る。
【００７４】
次いで、すべてのデータストリームの変調シンボルがＴＸ  ＭＩＭＯプロセッサ１２２０に供給され、ＴＸ  ＭＩＭＯプロセッサ１２２０はさらに（たとえば、ＯＦＤＭ用に）その変調シンボルを処理し得る。次いで、ＴＸ  ＭＩＭＯプロセッサ１２２０はＮＴ個の変調シンボルストリームをＮＴ個の送信機（ＴＭＴＲ）１２２２ａ〜１２２２ｔに供給する。いくつかの実施形態では、ＴＸ  ＭＩＭＯプロセッサ１２２０は、データストリームのシンボルと、シンボルの送信元のアンテナとにビームフォーミング重みを適用する。
【００７５】
各送信機１２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、送信機１２２２ａ〜１２２２ｔからのＮＴ個の変調信号は、それぞれＮＴ個のアンテナ１２２４ａ〜１２２４ｔから送信される。
【００７６】
受信機システム１２５０において、送信された変調信号はＮＲ個のアンテナ１２５２ａ〜１２５２ｒによって受信され、各アンテナ１２５２からの受信信号は、それぞれの受信機（ＲＣＶＲ）１２５４ａ〜１２５４ｒに供給される。各受信機１２５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給する。
【００７７】
次いで、ＲＸデータプロセッサ１２６０は、ＮＲ個の受信機１２５４からＮＲ個の受信シンボルストリームを受信し、特定の受信機処理技法に基づいて処理して、ＮＴ個の「検出」シンボルストリームを供給する。次いで、ＲＸデータプロセッサ１２６０は、各検出シンボルストリームを復調し、デインターリーブし、復号して、データストリームのトラフィックデータを復元する。ＲＸデータプロセッサ１２６０による処理は、送信機システム１２１０におけるＴＸ  ＭＩＭＯプロセッサ１２２０およびＴＸデータプロセッサ１２１４によって実行される処理を補足するものである。プロセッサ１２７０は、どのプリコーディング行列を使用すべきかを周期的に判断する（後述）。プロセッサ１２７０は、行列インデックス部分とランク値部分とを備える逆方向リンクメッセージを作成する。
【００７８】
逆方向リンクメッセージは、通信リンクおよび／または受信データストリームに関する様々なタイプの情報を備え得る。次いで、逆方向リンクメッセージは、データソース１２３６からいくつかのデータストリームのトラフィックデータをも受信するＴＸデータプロセッサ１２３８によって処理され、変調器１２８０によって変調され、送信機１２５４ａ〜１２５４ｒによって調整され、送信機システム１２１０に戻される。
【００７９】
送信機システム１２１０において、受信機システム１２５０からの変調信号は、アンテナ１２２４によって受信され、受信機１２２２によって調整され、復調器１２４０によって復調され、受信機システム１２５０によって送信された逆方向リンクメッセージを抽出するためにＲＸデータプロセッサ１２４２によって処理される。次いで、プロセッサ１２３０は、ビームフォーミング重みを判断するためにどのプリコーディング行列を使用すべきかを判断し、次いで、抽出されたメッセージを処理する。
【００８０】
一例では、本明細書で説明する例示的な構成要素、流れ図、論理ブロック、モジュール、および／またはアルゴリズムステップは、１つまたは複数のプロセッサを用いて実装または実行される。一態様では、プロセッサは、本明細書で説明する様々な流れ図、論理ブロックおよび／またはモジュールを実装または実行するために、プロセッサによって実行されるデータ、メタデータ、プログラム命令などを記憶するメモリに結合される。図１３は、移動局にサーバメッセージを転送する頻度を減らすためのプロセスを実行するためにメモリ１３２０と通信しているプロセッサ１３１０を備えるデバイス１３００の一例を示している。一例では、デバイス１３００は、図５に示すアルゴリズムを実装するために使用される。一態様では、メモリ１３２０はプロセッサ１３１０内に配置される。別の態様では、メモリ１３２０はプロセッサ１３１０の外部にある。一態様では、プロセッサは、本明細書で説明する様々な流れ図、論理ブロックおよび／またはモジュールを実装または実行するための回路を含む。
【００８１】
開示された態様の前述の説明は、当業者が本開示を実施または使用できるようにするために提供されるものである。これらの態様への様々な修正は当業者には容易に明らかになり、本明細書で定義した一般原理は、本開示の趣旨または範囲から逸脱することなく他の態様に適用され得る。
【図１】
2013539623.tif 000003
【図２】
2013539623.tif 000004
【図３】
2013539623.tif 000005
【図４】
2013539623.tif 000006
【図５】
2013539623.tif 000007
【図６】
2013539623.tif 000008
【図７】
2013539623.tif 000009
【図８】
2013539623.tif 000010
【図９】
2013539623.tif 000011
【図１０】
2013539623.tif 000012
【図１１】
2013539623.tif 000013
【図１２】
2013539623.tif 000014
【図１３】
2013539623.tif 000015
【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
頻繁なサーバメッセージを減らすための方法であって、
移動局に向けられたネットワークサーバからのサーバ要求を受信することと、
前記移動局に前記サーバ要求を転送すべきか否かを判断することであって、
前記サーバ要求を転送すべきか否かを前記判断することは、前記移動局からの通信に関係する非アクティビティタイマーの値を評価することを含む、ことと、
前記移動局に代わって前記サーバ要求に少なくとも部分的に基づいて前記ネットワークサーバにサーバ応答を送信することと
を備える方法。
【請求項２】
前記判断するステップは、前記移動局とのリンク層シグナリング交換に基づき、前記送信するステップは、前記移動局に前記サーバ要求を転送することを含まない、請求項１に記載の方法。
【請求項３】
前記サーバ要求を前記受信することは、キープアライブ要求を受信することを含む、請求項１に記載の方法。
【請求項４】
前記キープアライブ要求を前記受信することは、パケットフィルタを使用して前記キープアライブ要求を検出し、前記パケットフィルタは、前記移動局または前記ネットワークサーバのいずれかによって送られる、請求項３に記載の方法。
【請求項５】
前記キープアライブ要求をリンク層キープアライブ要求に変換することをさらに備える、請求項３に記載の方法。
【請求項６】
キープアライブ応答を受信すると、前記非アクティビティタイマーをリセットすることをさらに備える、請求項１に記載の方法。
【請求項７】
前記非アクティビティタイマーの前記値に少なくとも部分的に基づいて前記移動局に前記キープアライブ要求を転送することと、
キープアライブ応答である前記サーバ応答を前記移動局から受信することと
をさらに備える、請求項１に記載の方法。
【請求項８】
前記非アクティビティタイマーはリンク層非アクティビティタイマーである、請求項７に記載の方法。
【請求項９】
キープアライブメッセージは、前記ネットワークサーバからのレイヤ２トンネリングプロトコル（Ｌ２ＴＰ）キープアライブメッセージである、請求項３に記載の方法。
【請求項１０】
前記Ｌ２ＴＰキープアライブメッセージをポイントツーポイントプロトコル（ＰＰＰ）リンク制御プロトコル（ＬＣＰ）エコー要求に変換することと、
非アクティビティタイマーの値に少なくとも部分的に基づいて前記移動局に前記ＰＰＰ  ＬＣＰエコー要求を送信することと
をさらに備える、請求項９に記載の方法。
【請求項１１】
前記移動局からＬＣＰエコー応答を受信することと、
前記ＬＣＰエコー応答を前記受信することに少なくとも部分的に基づいて、前記Ｌ２ＴＰキープアライブメッセージに応答して前記ネットワークサーバにゼロ長本文確認応答を送信することと
をさらに備える、請求項１０に記載の方法。
【請求項１２】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項１０に記載の方法。
【請求項１３】
前記サーバ要求を前記受信することは、前記ネットワークサーバからＬ２ＴＰ制御プロトコル（ＬＣＰ）エコー要求を受信することを含み、前記サーバ応答を前記送信することは、前記ネットワークサーバにＬＣＰエコー応答を送信することを含む、請求項１に記載の方法。
【請求項１４】
頻繁なサーバメッセージを減らすための装置であって、プロセッサとメモリとを備え、前記メモリは、
移動局に向けられたネットワークサーバからのサーバ要求を受信することと、
前記移動局に前記サーバ要求を転送すべきか否かを判断することであって、
前記メモリは、前記移動局からの通信に関係する非アクティビティタイマーの値を評価するためのプログラムコードをさらに備える、ことと、
前記移動局に代わって前記サーバ要求に少なくとも部分的に基づいて前記ネットワークサーバにサーバ応答を送信することと
を実行するための前記プロセッサによって実行可能なプログラムコードを含む、装置。
【請求項１５】
判断するための前記プログラムコードは、前記移動局とのリンク層シグナリング交換に基づき有効であり、送信するための前記プログラムコードは、前記移動局に前記サーバ要求を転送するためのプログラムコードを含まない、請求項１４に記載の装置。
【請求項１６】
前記サーバ要求を受信するための前記プログラムコードは、キープアライブ要求を受信するためのプログラムコードを含む、請求項１４に記載の装置。
【請求項１７】
前記メモリは、パケットフィルタを使用して前記キープアライブ要求を検出するためのプログラムコードをさらに備え、前記パケットフィルタは、前記移動局または前記ネットワークサーバのいずれかによって送られる、請求項１６に記載の装置。
【請求項１８】
前記メモリは、前記キープアライブ要求をリンク層キープアライブ要求に変換するためのプログラムコードをさらに備える、請求項１６に記載の装置。
【請求項１９】
前記メモリは、キープアライブ応答を受信すると、前記非アクティビティタイマーをリセットするためのプログラムコードをさらに備える、請求項１４に記載の装置。
【請求項２０】
前記メモリは、
前記非アクティビティタイマーの前記値に少なくとも部分的に基づいて前記移動局に前記キープアライブ要求を転送し、
キープアライブ応答である前記サーバ応答を前記移動局から受信する
ためのプログラムコードをさらに備える、請求項１４に記載の装置。
【請求項２１】
前記非アクティビティタイマーはリンク層非アクティビティタイマーである、請求項２０に記載の装置。
【請求項２２】
キープアライブメッセージは、前記ネットワークサーバからのレイヤ２トンネリングプロトコル（Ｌ２ＴＰ）キープアライブメッセージである、請求項１６に記載の装置。
【請求項２３】
前記メモリは、
前記Ｌ２ＴＰキープアライブメッセージをポイントツーポイントプロトコル（ＰＰＰ）リンク制御プロトコル（ＬＣＰ）エコー要求に変換し、
非アクティビティタイマーの値に少なくとも部分的に基づいて前記移動局に前記ＰＰＰ  ＬＣＰエコー要求を送信する
ためのプログラムコードをさらに備える、請求項２２に記載の装置。
【請求項２４】
前記メモリは、
前記移動局からＬＣＰエコー応答を受信し、
前記ＬＣＰエコー応答を前記受信することに少なくとも部分的に基づいて、前記Ｌ２ＴＰキープアライブメッセージに応答して前記ネットワークサーバにゼロ長本文確認応答を送信する
ためのプログラムコードをさらに備える、請求項２３に記載の装置。
【請求項２５】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項２３に記載の装置。
【請求項２６】
前記メモリは、前記ネットワークサーバからＬ２ＴＰ制御プロトコル（ＬＣＰ）エコー要求を受信するための、かつ前記ネットワークサーバにＬＣＰエコー応答を送信するためのプログラムコードをさらに備える、請求項１４に記載の装置。
【請求項２７】
頻繁なサーバメッセージを減らすための装置であって、
移動局に向けられたネットワークサーバからのサーバ要求を受信するための手段と、
前記移動局からの通信に関係する非アクティビティタイマーの値を評価するための手段と、
前記移動局に前記サーバ要求を転送すべきか否かを判断するための手段と、
前記移動局に代わって前記サーバ要求に少なくとも部分的に基づいて前記ネットワークサーバにサーバ応答を送信するための手段と
を備える装置。
【請求項２８】
判断するための前記手段は、前記移動局とのリンク層シグナリング交換に基づいて有効であり、送信するステップのための前記手段は、前記移動局に前記サーバ要求を転送するための手段を含まない、請求項２７に記載の装置。
【請求項２９】
キープアライブ要求を受信するための手段をさらに備える、請求項２７に記載の装置。
【請求項３０】
前記キープアライブ要求を受信するための前記手段は、パケットフィルタを使用して前記キープアライブ要求を検出し、前記パケットフィルタは、前記移動局または前記ネットワークサーバのいずれかによって送られる、請求項２９に記載の装置。
【請求項３１】
前記キープアライブ要求をリンク層キープアライブ要求に変換するための手段をさらに備える、請求項２９に記載の装置。
【請求項３２】
キープアライブ応答を受信すると、前記非アクティビティタイマーをリセットするための手段をさらに備える、請求項２７に記載の装置。
【請求項３３】
前記非アクティビティタイマーの前記値に少なくとも部分的に基づいて前記移動局に前記キープアライブ要求を転送するための手段と、
キープアライブ応答である前記サーバ応答を前記移動局から受信するための手段と
をさらに備える、請求項２７に記載の装置。
【請求項３４】
前記非アクティビティタイマーはリンク層非アクティビティタイマーである、請求項３３に記載の装置。
【請求項３５】
キープアライブメッセージは、前記ネットワークサーバからのレイヤ２トンネリングプロトコル（Ｌ２ＴＰ）キープアライブメッセージである、請求項２９に記載の装置。
【請求項３６】
前記Ｌ２ＴＰキープアライブメッセージをポイントツーポイントプロトコル（ＰＰＰ）リンク制御プロトコル（ＬＣＰ）エコー要求に変換するための手段と、
非アクティビティタイマーの値に少なくとも部分的に基づいて前記移動局に前記ＰＰＰ  ＬＣＰエコー要求を送信するための手段と
をさらに備える、請求項３５に記載の装置。
【請求項３７】
前記移動局からＬＣＰエコー応答を受信するための手段と、
前記ＬＣＰエコー応答を前記受信することに少なくとも部分的に基づいて、前記Ｌ２ＴＰキープアライブメッセージに応答して前記ネットワークサーバにゼロ長本文確認応答を送信するための手段と
をさらに備える、請求項３６に記載の装置。
【請求項３８】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項３６に記載の装置。
【請求項３９】
前記サーバ要求を受信するための前記手段は、前記ネットワークサーバからＬ２ＴＰ制御プロトコル（ＬＣＰ）エコー要求を受信するための手段を含み、前記サーバ応答を送信するための手段は、前記ネットワークサーバにＬＣＰエコー応答を送信するための手段を含む、請求項２７に記載の装置。
【請求項４０】
移動局に向けられたネットワークサーバからのサーバ要求を受信することと、
前記移動局に前記サーバ要求を転送すべきか否かを判断することであって、
前記サーバ要求を転送すべきか否かを前記判断することは、前記移動局からの通信に関係する非アクティビティタイマーの値を評価することを含む、ことと、
前記移動局に代わって前記サーバ要求に少なくとも部分的に基づいて前記ネットワークサーバにサーバ応答を送信することと
を備える、プログラムコードを記憶したコンピュータ可読媒体を備える、コンピュータプログラム製品。
【手続補正２】
【補正対象書類名】明細書
【補正対象項目名】００８１
【補正方法】変更
【補正の内容】
【００８１】
開示された態様の前述の説明は、当業者が本開示を実施または使用できるようにするために提供されるものである。これらの態様への様々な修正は当業者には容易に明らかになり、本明細書で定義した一般原理は、本開示の趣旨または範囲から逸脱することなく他の態様に適用され得る。
なお、以下に、出願当初の特許請求の範囲に記載された発明を付記する。
［Ｃ１］
頻繁なサーバメッセージを減らすための方法であって、
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を備える方法。
［Ｃ２］
前記判断するステップは、前記移動局とのリンク層シグナリング交換に基づき、前記送信するステップは、前記移動局に前記サーバ要求を転送することを含まない、Ｃ１に記載の方法。
［Ｃ３］
前記サーバ要求を前記受信することは、キープアライブ要求を受信することを含む、Ｃ１に記載の方法。
［Ｃ４］
前記キープアライブ要求を前記受信することは、パケットフィルタを使用して前記キープアライブ要求を検出し、前記パケットフィルタは、前記移動局または前記ネットワークサーバのいずれかによって送られる、Ｃ３に記載の方法。
［Ｃ５］
前記キープアライブ要求をリンク層キープアライブ要求に変換することをさらに備える、Ｃ３に記載の方法。
［Ｃ６］
前記サーバ要求を転送すべきか否かを前記判断することは、前記移動局からの通信に関係する非アクティビティタイマーの値を評価することを含む、Ｃ３に記載の方法。
［Ｃ７］
キープアライブ応答を受信すると、前記非アクティビティタイマーをリセットすることをさらに備える、Ｃ６に記載の方法。
［Ｃ８］
前記非アクティビティタイマーの前記値に少なくとも部分的に基づいて前記移動局に前記キープアライブ要求を転送することと、
キープアライブ応答である前記サーバ応答を前記移動局から受信することと
をさらに備える、Ｃ６に記載の方法。
［Ｃ９］
前記非アクティビティタイマーはリンク層非アクティビティタイマーである、Ｃ８に記載の方法。
［Ｃ１０］
キープアライブメッセージは、前記ネットワークサーバからのレイヤ２トンネリングプロトコル（Ｌ２ＴＰ）キープアライブメッセージである、Ｃ３に記載の方法。
［Ｃ１１］
前記Ｌ２ＴＰキープアライブメッセージをポイントツーポイントプロトコル（ＰＰＰ）リンク制御プロトコル（ＬＣＰ）エコー要求に変換することと、
非アクティビティタイマーの値に少なくとも部分的に基づいて前記移動局に前記ＰＰＰ ＬＣＰエコー要求を送信することと
をさらに備える、Ｃ１０に記載の方法。
［Ｃ１２］
前記移動局からＬＣＰエコー応答を受信することと、
前記ＬＣＰエコー応答を前記受信することに少なくとも部分的に基づいて、前記Ｌ２ＴＰキープアライブメッセージに応答して前記ネットワークサーバにゼロ長本文確認応答を送信することと
をさらに備える、Ｃ１１に記載の方法。
［Ｃ１３］
前記非アクティビティタイマーは、Ｌｏｎｇ Ｔｅｒｍ Ｅｖｏｌｕｔｉｏｎ（ＬＴＥ）システムにおけるトラッキングエリアアップデートタイマーである、Ｃ１１に記載の方法。
［Ｃ１４］
前記サーバ要求を前記受信することは、前記ネットワークサーバからＬ２ＴＰ制御プロトコル（ＬＣＰ）エコー要求を受信することを含み、前記サーバ応答を前記送信することは、前記ネットワークサーバにＬＣＰエコー応答を送信することを含む、Ｃ１に記載の方法。
［Ｃ１５］
頻繁なサーバメッセージを減らすための装置であって、プロセッサとメモリとを備え、前記メモリは、
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を実行するための前記プロセッサによって実行可能なプログラムコードを含む、装置。
［Ｃ１６］
判断するための前記プログラムコードは、前記移動局とのリンク層シグナリング交換に基づき有効であり、送信するための前記プログラムコードは、前記移動局に前記サーバ要求を転送するためのプログラムコードを含まない、Ｃ１５に記載の装置。
［Ｃ１７］
前記サーバ要求を受信するための前記プログラムコードは、キープアライブ要求を受信するためのプログラムコードを含む、Ｃ１５に記載の装置。
［Ｃ１８］
前記メモリは、パケットフィルタを使用して前記キープアライブ要求を検出するためのプログラムコードをさらに備え、前記パケットフィルタは、前記移動局または前記ネットワークサーバのいずれかによって送られる、Ｃ１７に記載の装置。
［Ｃ１９］
前記メモリは、前記キープアライブ要求をリンク層キープアライブ要求に変換するためのプログラムコードをさらに備える、Ｃ１７に記載の装置。
［Ｃ２０］
前記メモリは、前記移動局からの通信に関係する非アクティビティタイマーの値を評価するためのプログラムコードをさらに備える、Ｃ１７に記載の装置。
［Ｃ２１］
前記メモリは、キープアライブ応答を受信すると、前記非アクティビティタイマーをリセットするためのプログラムコードをさらに備える、Ｃ２０に記載の装置。
［Ｃ２２］
前記メモリは、
前記非アクティビティタイマーの前記値に少なくとも部分的に基づいて前記移動局に前記キープアライブ要求を転送し、
キープアライブ応答である前記サーバ応答を前記移動局から受信する
ためのプログラムコードをさらに備える、Ｃ２０に記載の装置。
［Ｃ２３］
前記非アクティビティタイマーはリンク層非アクティビティタイマーである、Ｃ２２に記載の装置。
［Ｃ２４］
キープアライブメッセージは、前記ネットワークサーバからのレイヤ２トンネリングプロトコル（Ｌ２ＴＰ）キープアライブメッセージである、Ｃ１７に記載の装置。
［Ｃ２５］
前記メモリは、
前記Ｌ２ＴＰキープアライブメッセージをポイントツーポイントプロトコル（ＰＰＰ）リンク制御プロトコル（ＬＣＰ）エコー要求に変換し、
非アクティビティタイマーの値に少なくとも部分的に基づいて前記移動局に前記ＰＰＰ ＬＣＰエコー要求を送信する
ためのプログラムコードをさらに備える、Ｃ２４に記載の装置。
［Ｃ２６］
前記メモリは、
前記移動局からＬＣＰエコー応答を受信し、
前記ＬＣＰエコー応答を前記受信することに少なくとも部分的に基づいて、前記Ｌ２ＴＰキープアライブメッセージに応答して前記ネットワークサーバにゼロ長本文確認応答を送信する
ためのプログラムコードをさらに備える、Ｃ２５に記載の装置。
［Ｃ２７］
前記非アクティビティタイマーは、Ｌｏｎｇ Ｔｅｒｍ Ｅｖｏｌｕｔｉｏｎ（ＬＴＥ）システムにおけるトラッキングエリアアップデートタイマーである、Ｃ２５に記載の装置。
［Ｃ２８］
前記メモリは、前記ネットワークサーバからＬ２ＴＰ制御プロトコル（ＬＣＰ）エコー要求を受信するための、かつ前記ネットワークサーバにＬＣＰエコー応答を送信するためのプログラムコードをさらに備える、Ｃ１５に記載の装置。
［Ｃ２９］
頻繁なサーバメッセージを減らすための装置であって、
移動局に向けられたネットワークサーバからのサーバ要求を受信するための手段と、
前記移動局に前記サーバ要求を転送すべきか否かを判断するための手段と、
前記移動局に代わって前記サーバ要求に少なくとも部分的に基づいて前記ネットワークサーバにサーバ応答を送信するための手段と
を備える装置。
［Ｃ３０］
判断するための前記手段は、前記移動局とのリンク層シグナリング交換に基づいて有効であり、送信するステップのための前記手段は、前記移動局に前記サーバ要求を転送するための手段を含まない、Ｃ２９に記載の装置。
［Ｃ３１］
キープアライブ要求を受信するための手段をさらに備える、Ｃ２９に記載の装置。
［Ｃ３２］
前記キープアライブ要求を受信するための前記手段は、パケットフィルタを使用して前記キープアライブ要求を検出し、前記パケットフィルタは、前記移動局または前記ネットワークサーバのいずれかによって送られる、Ｃ３１に記載の装置。
［Ｃ３３］
前記キープアライブ要求をリンク層キープアライブ要求に変換するための手段をさらに備える、Ｃ３１に記載の装置。
［Ｃ３４］
前記移動局からの通信に関係する非アクティビティタイマーの値を評価するための手段をさらに備える、Ｃ３１に記載の装置。
［Ｃ３５］
キープアライブ応答を受信すると、前記非アクティビティタイマーをリセットするための手段をさらに備える、Ｃ３４に記載の装置。
［Ｃ３６］
前記非アクティビティタイマーの前記値に少なくとも部分的に基づいて前記移動局に前記キープアライブ要求を転送するための手段と、
キープアライブ応答である前記サーバ応答を前記移動局から受信するための手段と
をさらに備える、Ｃ３４に記載の装置。
［Ｃ３７］
前記非アクティビティタイマーはリンク層非アクティビティタイマーである、Ｃ３６に記載の装置。
［Ｃ３８］
キープアライブメッセージは、前記ネットワークサーバからのレイヤ２トンネリングプロトコル（Ｌ２ＴＰ）キープアライブメッセージである、Ｃ３１に記載の装置。
［Ｃ３９］
前記Ｌ２ＴＰキープアライブメッセージをポイントツーポイントプロトコル（ＰＰＰ）リンク制御プロトコル（ＬＣＰ）エコー要求に変換するための手段と、
非アクティビティタイマーの値に少なくとも部分的に基づいて前記移動局に前記ＰＰＰ ＬＣＰエコー要求を送信するための手段と
をさらに備える、Ｃ３８に記載の装置。
［Ｃ４０］
前記移動局からＬＣＰエコー応答を受信するための手段と、
前記ＬＣＰエコー応答を前記受信することに少なくとも部分的に基づいて、前記Ｌ２ＴＰキープアライブメッセージに応答して前記ネットワークサーバにゼロ長本文確認応答を送信するための手段と
をさらに備える、Ｃ３９に記載の装置。
［Ｃ４１］
前記非アクティビティタイマーは、Ｌｏｎｇ Ｔｅｒｍ Ｅｖｏｌｕｔｉｏｎ（ＬＴＥ）システムにおけるトラッキングエリアアップデートタイマーである、Ｃ３９に記載の装置。
［Ｃ４２］
前記サーバ要求を受信するための前記手段は、前記ネットワークサーバからＬ２ＴＰ制御プロトコル（ＬＣＰ）エコー要求を受信するための手段を含み、前記サーバ応答を送信するための前記手段は、前記ネットワークサーバにＬＣＰエコー応答を送信するための手段を含む、Ｃ２９に記載の装置。
［Ｃ４３］
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を備える、プログラムコードを記憶したコンピュータ可読媒体を備える、コンピュータプログラム製品。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
頻繁なサーバメッセージを減らすための方法であって、
移動局に向けられたネットワークサーバからのサーバ要求を受信することと、
前記移動局に前記サーバ要求を転送すべきか否かを判断することであって、
前記サーバ要求を転送すべきか否かを前記判断することは、前記移動局からの通信に関係する非アクティビティタイマーの値を評価することを含む、ことと、
前記移動局に代わって前記サーバ要求に少なくとも部分的に基づいて前記ネットワークサーバにサーバ応答を送信することと
を備える方法。
【請求項２】
前記判断することは、前記移動局とのリンク層シグナリング交換に基づき、前記送信することは、前記移動局に前記サーバ要求を転送することを含まない、請求項１に記載の方法。
【請求項３】
前記サーバ要求を前記受信することは、キープアライブ要求を受信することを含む、請求項１に記載の方法。
【請求項４】
前記キープアライブ要求を前記受信することは、パケットフィルタを使用して前記キープアライブ要求を検出し、前記パケットフィルタは、前記移動局または前記ネットワークサーバのいずれかによって送られる、請求項３に記載の方法。
【請求項５】
前記キープアライブ要求をリンク層キープアライブ要求に変換することをさらに備える、請求項３に記載の方法。
【請求項６】
キープアライブ応答を受信すると、前記非アクティビティタイマーをリセットすることをさらに備える、請求項１に記載の方法。
【請求項７】
前記非アクティビティタイマーの前記値に少なくとも部分的に基づいて前記移動局に前記キープアライブ要求を転送することと、
キープアライブ応答である前記サーバ応答を前記移動局から受信することと
をさらに備える、請求項１に記載の方法。
【請求項８】
前記非アクティビティタイマーはリンク層非アクティビティタイマーである、請求項７に記載の方法。
【請求項９】
前記キープアライブ要求は、前記ネットワークサーバからのレイヤ２トンネリングプロトコル（Ｌ２ＴＰ）キープアライブメッセージである、請求項３に記載の方法。
【請求項１０】
前記Ｌ２ＴＰキープアライブメッセージをポイントツーポイントプロトコル（ＰＰＰ）リンク制御プロトコル（ＬＣＰ）エコー要求に変換することと、
非アクティビティタイマーの値に少なくとも部分的に基づいて前記移動局に前記ＰＰＰ  ＬＣＰエコー要求を送信することと
をさらに備える、請求項９に記載の方法。
【請求項１１】
前記移動局からＬＣＰエコー応答を受信することと、
前記ＬＣＰエコー応答を前記受信することに少なくとも部分的に基づいて、前記Ｌ２ＴＰキープアライブメッセージに応答して前記ネットワークサーバにゼロ長本文確認応答を送信することと
をさらに備える、請求項１０に記載の方法。
【請求項１２】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項１０に記載の方法。
【請求項１３】
前記サーバ要求を前記受信することは、前記ネットワークサーバからＬ２ＴＰ制御プロトコル（ＬＣＰ）エコー要求を受信することを含み、前記サーバ応答を前記送信することは、前記ネットワークサーバにＬＣＰエコー応答を送信することを含む、請求項１に記載の方法。
【請求項１４】
頻繁なサーバメッセージを減らすための装置であって、プロセッサとメモリとを備え、前記メモリは、
移動局に向けられたネットワークサーバからのサーバ要求を受信することと、
前記移動局に前記サーバ要求を転送すべきか否かを判断することであって、
前記メモリは、前記移動局からの通信に関係する非アクティビティタイマーの値を評価するためのプログラムコードをさらに備える、ことと、
前記移動局に代わって前記サーバ要求に少なくとも部分的に基づいて前記ネットワークサーバにサーバ応答を送信することと
を実行するための前記プロセッサによって実行可能なプログラムコードを含む、装置。
【請求項１５】
判断するための前記プログラムコードは、前記移動局とのリンク層シグナリング交換に基づき有効であり、送信するための前記プログラムコードは、前記移動局に前記サーバ要求を転送するためのプログラムコードを含まない、請求項１４に記載の装置。
【請求項１６】
前記サーバ要求を受信するための前記プログラムコードは、キープアライブ要求を受信するためのプログラムコードを含む、請求項１４に記載の装置。
【請求項１７】
前記メモリは、パケットフィルタを使用して前記キープアライブ要求を検出するためのプログラムコードをさらに備え、前記パケットフィルタは、前記移動局または前記ネットワークサーバのいずれかによって送られる、請求項１６に記載の装置。
【請求項１８】
前記メモリは、前記キープアライブ要求をリンク層キープアライブ要求に変換するためのプログラムコードをさらに備える、請求項１６に記載の装置。
【請求項１９】
前記メモリは、キープアライブ応答を受信すると、前記非アクティビティタイマーをリセットするためのプログラムコードをさらに備える、請求項１４に記載の装置。
【請求項２０】
前記メモリは、
前記非アクティビティタイマーの前記値に少なくとも部分的に基づいて前記移動局に前記キープアライブ要求を転送し、
キープアライブ応答である前記サーバ応答を前記移動局から受信する
ためのプログラムコードをさらに備える、請求項１４に記載の装置。
【請求項２１】
前記非アクティビティタイマーはリンク層非アクティビティタイマーである、請求項２０に記載の装置。
【請求項２２】
前記キープアライブ要求は、前記ネットワークサーバからのレイヤ２トンネリングプロトコル（Ｌ２ＴＰ）キープアライブメッセージである、請求項１６に記載の装置。
【請求項２３】
前記メモリは、
前記Ｌ２ＴＰキープアライブメッセージをポイントツーポイントプロトコル（ＰＰＰ）リンク制御プロトコル（ＬＣＰ）エコー要求に変換し、
非アクティビティタイマーの値に少なくとも部分的に基づいて前記移動局に前記ＰＰＰ  ＬＣＰエコー要求を送信する
ためのプログラムコードをさらに備える、請求項２２に記載の装置。
【請求項２４】
前記メモリは、
前記移動局からＬＣＰエコー応答を受信し、
前記ＬＣＰエコー応答を前記受信することに少なくとも部分的に基づいて、前記Ｌ２ＴＰキープアライブメッセージに応答して前記ネットワークサーバにゼロ長本文確認応答を送信する
ためのプログラムコードをさらに備える、請求項２３に記載の装置。
【請求項２５】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項２３に記載の装置。
【請求項２６】
前記メモリは、前記ネットワークサーバからＬ２ＴＰ制御プロトコル（ＬＣＰ）エコー要求を受信するための、かつ前記ネットワークサーバにＬＣＰエコー応答を送信するためのプログラムコードをさらに備える、請求項１４に記載の装置。
【請求項２７】
頻繁なサーバメッセージを減らすための装置であって、
移動局に向けられたネットワークサーバからのサーバ要求を受信するための手段と、
前記移動局からの通信に関係する非アクティビティタイマーの値を評価するための手段と、
前記移動局に前記サーバ要求を転送すべきか否かを判断するための手段と、
前記移動局に代わって前記サーバ要求に少なくとも部分的に基づいて前記ネットワークサーバにサーバ応答を送信するための手段と
を備える装置。
【請求項２８】
判断するための前記手段は、前記移動局とのリンク層シグナリング交換に基づいて有効であり、送信するための前記手段は、前記移動局に前記サーバ要求を転送するための手段を含まない、請求項２７に記載の装置。
【請求項２９】
キープアライブ要求を受信するための手段をさらに備える、請求項２７に記載の装置。
【請求項３０】
前記キープアライブ要求を受信するための前記手段は、パケットフィルタを使用して前記キープアライブ要求を検出し、前記パケットフィルタは、前記移動局または前記ネットワークサーバのいずれかによって送られる、請求項２９に記載の装置。
【請求項３１】
前記キープアライブ要求をリンク層キープアライブ要求に変換するための手段をさらに備える、請求項２９に記載の装置。
【請求項３２】
キープアライブ応答を受信すると、前記非アクティビティタイマーをリセットするための手段をさらに備える、請求項２７に記載の装置。
【請求項３３】
前記非アクティビティタイマーの前記値に少なくとも部分的に基づいて前記移動局に前記キープアライブ要求を転送するための手段と、
キープアライブ応答である前記サーバ応答を前記移動局から受信するための手段と
をさらに備える、請求項２７に記載の装置。
【請求項３４】
前記非アクティビティタイマーはリンク層非アクティビティタイマーである、請求項３３に記載の装置。
【請求項３５】
前記キープアライブ要求は、前記ネットワークサーバからのレイヤ２トンネリングプロトコル（Ｌ２ＴＰ）キープアライブメッセージである、請求項２９に記載の装置。
【請求項３６】
前記Ｌ２ＴＰキープアライブメッセージをポイントツーポイントプロトコル（ＰＰＰ）リンク制御プロトコル（ＬＣＰ）エコー要求に変換するための手段と、
非アクティビティタイマーの値に少なくとも部分的に基づいて前記移動局に前記ＰＰＰ  ＬＣＰエコー要求を送信するための手段と
をさらに備える、請求項３５に記載の装置。
【請求項３７】
前記移動局からＬＣＰエコー応答を受信するための手段と、
前記ＬＣＰエコー応答を前記受信することに少なくとも部分的に基づいて、前記Ｌ２ＴＰキープアライブメッセージに応答して前記ネットワークサーバにゼロ長本文確認応答を送信するための手段と
をさらに備える、請求項３６に記載の装置。
【請求項３８】
前記非アクティビティタイマーは、Ｌｏｎｇ  Ｔｅｒｍ  Ｅｖｏｌｕｔｉｏｎ（ＬＴＥ）システムにおけるトラッキングエリアアップデートタイマーである、請求項３６に記載の装置。
【請求項３９】
前記サーバ要求を受信するための前記手段は、前記ネットワークサーバからＬ２ＴＰ制御プロトコル（ＬＣＰ）エコー要求を受信するための手段を含み、前記サーバ応答を送信するための手段は、前記ネットワークサーバにＬＣＰエコー応答を送信するための手段を含む、請求項２７に記載の装置。
【請求項４０】
移動局に向けられたネットワークサーバからのサーバ要求を受信することと、
前記移動局に前記サーバ要求を転送すべきか否かを判断することであって、
前記サーバ要求を転送すべきか否かを前記判断することは、前記移動局からの通信に関係する非アクティビティタイマーの値を評価することを含む、ことと、
前記移動局に代わって前記サーバ要求に少なくとも部分的に基づいて前記ネットワークサーバにサーバ応答を送信することと
を備える、プログラムコードを記憶したコンピュータ可読媒体を備える、コンピュータプログラム製品。
【手続補正２】
【補正対象書類名】明細書
【補正対象項目名】全文
【補正方法】変更
【補正の内容】
【発明の詳細な説明】
【技術分野】
【０００１】
米国特許法第１１９条に基づく優先権の主張
本特許出願は、本出願の譲受人に譲渡され、参照により本明細書に明確に組み込まれる、２０１０年７月２７日に出願された「Ａｐｐａｒａｔｕｓ  ａｎｄ  Ｍｅｔｈｏｄ  ｆｏｒ  Ｒｅｄｕｃｉｎｇ  Ｆｒｅｑｕｅｎｔ  Ｓｅｒｖｅｒ  Ｍｅｓｓａｇｅｓ」と題する仮出願第６１／３６８，１９７号の優先権を主張する。
【０００２】
本開示は、一般に、ネットワークオーバーヘッドを減らすための装置および方法に関する。より詳細には、本開示は、ワイヤレス通信ネットワークにおける頻繁なサーバメッセージを減らすことに関する。
【背景技術】
【０００３】
ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
これらの多元接続技術は、様々なワイヤレスデバイスが都市、国家、地域、さらには地球規模で通信することを可能にする共通プロトコルを提供するために、様々な電気通信規格において採用されている。別の電気通信規格の一例は、Ｌｏｎｇ  Ｔｅｒｍ  Ｅｖｏｌｕｔｉｏｎ（ＬＴＥ）である。ＬＴＥは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ（登録商標））によって公表されたＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）モバイル規格の拡張セットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
頻繁なサーバメッセージを減らすための装置および方法が開示される。一態様によれば、頻繁なサーバメッセージを減らすための方法は、移動局に向けられたネットワークサーバからのサーバ要求を受信することと、移動局にサーバ要求を転送すべきか否かを判断することと、移動局に代わってサーバ要求に少なくとも部分的に基づいてネットワークサーバにサーバ応答を送信することとを含む。
【０００６】
一態様によれば、頻繁なサーバメッセージを減らすための装置は、プロセッサとメモリとを備え、メモリは、移動局に向けられたネットワークサーバからのサーバ要求を受信することと、移動局にサーバ要求を転送すべきか否かを判断することと、移動局に代わってサーバ要求に少なくとも部分的に基づいてネットワークサーバにサーバ応答を送信することとを実行するためのプロセッサによって実行可能なプログラムコードを含む。
【０００７】
一態様によれば、頻繁なサーバメッセージを減らすための装置は、移動局に向けられたネットワークサーバからのサーバ要求を受信するための手段と、移動局にサーバ要求を転送すべきか否かを判断するための手段と、移動局に代わってサーバ要求に少なくとも部分的に基づいてネットワークサーバにサーバ応答を送信するための手段とを含む。
【０００８】
一態様によれば、コンピュータプログラム製品は、移動局に向けられたネットワークサーバからのサーバ要求を受信することと、移動局にサーバ要求を転送すべきか否かを判断することと、移動局に代わってサーバ要求に少なくとも部分的に基づいてネットワークサーバにサーバ応答を送信することとを含む、プログラムコードを記憶したコンピュータ可読媒体を備える。
【０００９】
本開示の利点は、ワイヤレス通信ネットワークにおけるメッセージオーバーヘッドを減らすことを含み得る。
【００１０】
様々な態様が例として図示され説明される、以下の発明を実施するための形態から、当業者には他の態様が容易に明らかになるであろうことを理解されたい。図面および発明を実施するための形態は、本質的に例示的なものと見なされるべきであり、限定的なものと見なされるべきではない。
【図面の簡単な説明】
【００１１】
【図１】サービングノードを通じてワイヤレスネットワーク通信を容易にするためのワイヤレス通信システムの一例を示す図。
【図２】移動局に送られるサーバ要求の数を減らすためのワイヤレス通信システムの一例を示す図。
【図３】プロキシを使用して移動局に代わってサーバ応答メッセージを送信するためのワイヤレス通信システムの一例を示す図。
【図４】レイヤ２トンネリングプロトコル（Ｌ２ＴＰ）通信におけるキープアライブメッセージの数を減らすためのワイヤレス通信システムの一例を示す図。
【図５】移動局にサーバメッセージを転送する頻度を減らすための流れ図の一例を示す図。
【図６】移動局に転送されるサーバメッセージの数を減らすためのデバイスの一例を示す図。
【図７】本明細書で説明する態様によるサービングノードの一例を示す図。
【図８】Ｌ２ＴＰトンネルにおけるシグナリングオーバーヘッドを減らすためのコールフローの一例を示す図。
【図９】インスタントメッセンジャー用の例示的なアプリケーションを示す図。
【図１０】移動局にサーバメッセージを転送する頻度を減らすのに適した別のデバイスの一例を示す図。
【図１１】本開示の一態様による、多元接続ワイヤレス通信システムの一例を示す図。
【図１２】本開示の一態様による、ワイヤレス通信システムのブロック図の一例を示す図。
【図１３】移動局にサーバメッセージを転送する頻度を減らすためのプロセスを実行するためにメモリと通信しているプロセッサを備えるデバイスの一例を示す図。
【発明を実施するための形態】
【００１２】
添付の図面とともに以下に示す発明を実施するための形態は、本開示の様々な態様を説明するものであり、本開示が実施され得る唯一の態様を表すものではない。本開示で説明する各態様は、本開示の例または説明として提供するものにすぎず、必ずしも他の態様よりも好適であるまたは有利であると解釈すべきではない。発明を実施するための形態は、本開示の完全な理解を与えるための具体的な詳細を含む。ただし、本開示はこれらの具体的な詳細なしに実施され得ることが当業者には明らかであろう。場合によっては、本開示の概念を不明瞭にしないように、よく知られている構造およびデバイスをブロック図の形式で示す。頭字語および他の記述的専門用語は、単に便宜のために、かつ明瞭にするためにのみ使用され得、本開示の範囲を限定するものではない。
【００１３】
説明を簡単にするために、方法を一連の行為として図示し説明するが、いくつかの行為は、１つまたは複数の態様によれば、本明細書で図示し説明する順序とは異なる順序で、かつ／または他の行為と同時に行われ得るので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の態様による方法を実装するために、示されたすべての行為が必要とされるとは限らない。
【００１４】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ）と低チップレート（ＬＣＲ）とを含む。ｃｄｍａ２０００は、ＩＳ−２０００規格と、ＩＳ−９５規格と、ＩＳ−８５６規格とをカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。これらの様々な無線技術および規格は当技術分野で知られている。
【００１５】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行可能ファイル、実行スレッド、プログラム、および／またはコンピュータであってよいが、これらに限定されない。例として、コンピューティングデバイス上で実行されるアプリケーションと、そのコンピューティングデバイスの両方を構成要素とすることができる。１つまたは複数の構成要素がプロセスおよび／または実行スレッド内に常駐することができ、１つの構成要素を１つのコンピュータ上に配置すること、および／または２つ以上のコンピュータ間に分散することができ得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、ならびに／あるいはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００１６】
さらに、本明細書では、ワイヤード端末またはワイヤレス端末とすることができる端末に関する様々な態様について説明する。端末は、システム、デバイス、加入者ユニット、加入者局、移動局、モバイル、モバイルデバイス、リモート局、リモート端末、アクセス端末、ユーザ端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、ｅノードＢ、または何らかの他の用語で呼ばれることもある。
【００１７】
概して、ワイヤレス多元接続通信システムは、複数のワイヤレス端末のための通信を同時にサポートし得る。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【００１８】
アクセス端末は、アプリケーションサーバと通信するアプリケーションクライアントをホストし得る。アプリケーションサーバはアクセス端末に対し、アクセス端末が到達可能であるか否かなど、そのステータスについて知らせるように要求し得る。これは、アクセス端末とアプリケーションサーバとの間でキープアライブメッセージを交換することによって実行され得る。たとえば、ワイヤレス通信システムは、ワイヤレス端末にサーバへのアクセスを提供するパケットデータサービングノード（ＰＤＳＮ）を含み得る。１つの例示的な構成では、ＰＤＳＮは、ワイヤレス端末とサーバとの間のポイントツーポイントプロトコル（ＰＰＰ）通信を容易にし得る。この例では、サーバはワイヤレス端末に対し、アクティブな接続を確保するために複数のＰＰＰ関連のキープアライブまたはエコー要求を送り得る。ＰＰＰは、一例では、様々な物理層媒体で確立され得る２人のネットワークユーザ間のデータリンクプロトコルである。
【００１９】
一例では、ワイヤレス通信システムは、レイヤ２トンネリングプロトコル（Ｌ２ＴＰ）を使用した通信を許容し得る。一例では、レイヤ２は、ネットワークプロトコルスタックモデルにおける物理層の上のデータリンク層に相当する。この例では、ワイヤレス通信システムは、ＰＤＳＮに実装され得るＬ２ＴＰアクセス集信装置またはＬ２ＴＰアクセスクライアント（ＬＡＣ）を提供し、Ｌ２ＴＰネットワークサーバ（ＬＮＳ）とのワイヤレス端末通信を容易にする。一態様では、ＬＡＣは、ＬＮＳとの間でパケットを転送するＬ２ＴＰトンネルの一方の側におけるネットワークノードである。別の態様では、ＬＮＳは、ＬＡＣとのＰＰＰセッションの論理的終点であるＬ２ＴＰトンネルのもう１つの側におけるネットワークノードである。一例では、ＬＡＣおよびＬＮＳは、Ｌ２ＴＰトンネルにわたってピアとして機能する。
【００２０】
さらに、たとえば、ＬＮＳは、モバイルツーモバイル（Ｍ２Ｍ）サーバに実装され得る。この例では、Ｍ２Ｍサーバと通信するワイヤレス端末（および／またはＰＤＳＮ）を認証するために、認証、認可、および課金（ＡＡＡ）機能または別の構成要素も提供され得る。たとえば、Ｌ２ＴＰは、ＰＰＰ拡張として使用され得る。一例では、Ｍ２Ｍサーバはワイヤレス端末に対し、キープアライブメッセージとしてＬ２ＴＰ制御プロトコル（ＬＣＰ）エコー要求を送ることがあり、これはワイヤレス通信システムにおける追加のシグナリングをもたらす。Ｌ２ＴＰトンネルの２つの側は、異なる組織によって制御され得る。たとえば、ＬＮＳは電気通信サービスプロバイダの責任となり、ＬＡＣはワイヤレス事業者の責任となる場合がある。加えて、電気通信プロバイダは、そのような要求がネットワークサーバから送られる頻度を制御する能力を有さないことがある。したがって、Ｌ２ＴＰの使用は、電気通信プロバイダに望ましくないシグナリングオーバーヘッドをもたらし得る。
【００２１】
本明細書で説明するように、サーバによってワイヤレスデバイスに送られるキープアライブおよび他の接続管理メッセージによって生じる追加のシグナリングを減らすことで、ワイヤレスネットワークの効率性の向上、ワイヤレスデバイスが必要とする処理の軽減、バッテリー寿命の改善などが実現し得る。一例では、応答を求める信号をワイヤレスデバイスに送ることなく、ワイヤレスデバイスに代わってキープアライブメッセージまたはオーバーヘッドメッセージのうちの１つまたは複数に応答するために、プロキシが提供され得る。たとえば、プロキシは、ＰＰＰ構成におけるＰＤＳＮ、Ｌ２ＴＰにおけるＬＡＣ、ＬＴＥにおけるＭＭＥまたはゲートウェイ（たとえば、サービングゲートウェイ、ＰＤＮゲートウェイなど）、ＵＭＴＳにおけるＳＧＳＮなど、ワイヤレスネットワークのサービングノード内に実装され得る。別の例では、サーバがキープアライブまたは他のメッセージを送信する頻度を減らすこと、ワイヤレスデバイス向けのキープアライブ機能のための異なるメッセージを利用することなどのために、サーバは変更され得る。たとえば、Ｌ２ＴＰ構成では、Ｌ２ＴＰ  Ｈｅｌｌｏメッセージが、ＬＡＣとＬＮＳとの間で、Ｌ２ＴＰにおいて使用されることがあり、ＰＰＰ  ＬＣＰエコー要求／応答メッセージが、ＬＡＣとワイヤレスデバイスとの間で使用されることがある。別の例では、サービングノードとワイヤレスデバイスとの間のリンクが解除された場合、サービングノードは、サーバからのキープアライブメッセージまたは他の接続関連メッセージに応答するのを停止し得る。さらに別の例では、アプリケーションサーバとワイヤレスデバイスとの間でエンドツーエンドのキープアライブメッセージを使用する代わりに、ワイヤレスデバイスとＰＤＳＮとの間で利用可能なリンク層情報を使用して、アプリケーションサーバに信号を送ることができる。
【００２２】
図１は、サービングノードを通じてワイヤレスネットワーク通信を容易にするためのワイヤレス通信システムの一例を示している。システム１００はサービングノード１０２を含み、サービングノード１０２は、ＭＳ１０４または１つもしくは複数の異なるデバイスにサーバ１０６へのアクセスを提供する。（たとえば、ＭＳ１０４とサービングノード１０２との間の１つもしくは複数の基地局もしくは中継ノード、認証、認可、および課金（ＡＡＡ）機能、またはサービングノード１０２とサーバ１０６との間の１つもしくは複数のゲートウェイノードなど）図示されたノード間の通信を容易にするために、ワイヤレス通信システム１００に追加の構成要素が存在し得ることを諒解されたい。加えて、たとえば、ＭＳ１０４は、サービングノード１０２を介してサーバ１０６と通信することができるＵＥ、モデム（もしくは他のテザーデバイス）、中継ノード、アクセスポイントなどであってよい。
【００２３】
一例によれば、サービングノード１０２は、ＭＳ１０４に代わって通信するためのプロキシを実装し得る。たとえば、サービングノード１０２は、ＰＤＳＮであってよく、ＰＰＰプロキシとして機能して、ＭＳ１０４に向けられたサーバ１０６からのキープアライブおよび／または他のＰＰＰ関連要求を受信し、ＭＳ１０４に信号を送ることなく、要求の少なくとも一部分に応答し得る。一例では、サービングノード１０２は、ホームエージェント（ＨＡ）、ローカルモビリティアンカーまたはパケットデータネットワークゲートウェイ（Ｐ−ＧＷ）であり得る。サービングノード１０２に関する本明細書に記載の例が排他的となるように意図されておらず、本開示の範囲および趣旨内で他の例が可能であることを、当業者は理解しよう。一例では、サービングノード１０２は、ＭＳ１０４との間におけるそれ自体の同様の手順を有してよく、その手順に関して受信された応答に少なくとも部分的に基づいて、サーバ１０６からの要求に応答し得る。たとえば、サーバ１０６は、ＭＳ１０４に向けられたキープアライブ要求をサービングノード１０２に送信し得る。サービングノード１０２は、ＭＳ１０４との間でキープアライブおよび／または他のＰＰＰ関連手順を以前に実行していることがあり、その場合、ＭＳ１０４に信号を送ることなく、ＭＳ１０４からの以前の応答を使用して、サーバ１０６からのキープアライブ要求に応答し得る。
【００２４】
一例では、ワイヤレス通信システム１００は、ＰＰＰ拡張としてＬ２ＴＰを使用する。この例では、サーバ１０６は、頻繁なキープアライブ要求をＭＳ１０４に（ＬＡＣとして機能するＰＤＳＮであり得るサービングノード１０２を介して）送信して、ＭＳ１０４がサービングノード１０２に接続されていること、および／またはサーバ１０６と通信できることを確認する。たとえば、キープアライブ要求は、ＭＳ１０４に送信されるＬＣＰエコー要求に関係することがあり、これに対するＬＣＰエコー応答が、ＭＳ１０４との接続がアクティブであることを保証することが期待される。サーバ１０６は、サーバ１０６におけるリンク層非アクティビティタイマーに従って、そのようなＬＣＰエコー要求を送信し得る。一例では、リンク層非アクティビティタイマーは、ＰＰＰ非アクティビティタイマーである。
【００２５】
一例では、サービングノード１０２は、非アクティビティタイマーを利用し、非アクティビティタイマーは、ＭＳ１０４のステータスを維持するために、ＭＳ１０４から通信が受信されるたびにリセットされ得る。サービングノード１０２における非アクティビティタイマーが、サーバ１０６における非アクティビティタイマーよりも大きい値を有すること、および／またはより高い値に設定できること（この場合、サーバ１０６が設定可能な値を有さないことがある）がある。この点について、サービングノード１０２が、ＭＳ１０４向けのサーバ１０６からのＬＣＰエコー要求を受信し、ＭＳ１０４向けの非アクティビティタイマーがしきい値（たとえば、非アクティビティを示す値よりも小さい値）を上回っている場合、サービングノード１０２は、ＬＣＰエコー要求をＭＳ１０４に転送して、ＭＳ１０４がアクティブであるか否かを判断する。サービングノード１０２は、ＭＳ１０４からＬＣＰエコー応答を受信した場合、ＬＣＰエコー応答をサーバ１０６に転送する。一方、サービングノード１０２におけるＭＳ１０４向けの非アクティビティタイマーがしきい値を下回っている場合、サービングノード１０２は、ＭＳ１０４にＬＣＰエコー要求を転送することなく、ＬＣＰエコー応答によりサーバ１０６に応答し得る。
【００２６】
別の例では、サーバ１０６は、ＭＳ１０４向けにキープアライブ要求が送られる頻度を減らすように変更され得る。たとえば、Ｌ２ＴＰでは、サーバ１０６は、キープアライブメッセージとして、ＬＣＰエコー要求ではなくＬ２ＴＰキープアライブ（Ｈｅｌｌｏ）メッセージを使用する。Ｌ２ＴＰキープアライブメッセージは、サービングノード１０２からの応答を要請するために送信されることがあり、サービングノード１０２は、ゼロ長本文確認応答（ＺＬＢ  ＡＣＫ：ｚｅｒｏ  ｌｅｎｇｔｈ  ｂｏｄｙ  ａｃｋｎｏｗｌｅｄｇｅｍｅｎｔ）により応答することができる。ＭＳ１０４向けの非アクティビティタイマーがしきい値を上回っているとき、サービングノード１０２は、受信したＬ２ＴＰキープアライブを、ＭＳ１０４向けのＬＣＰエコー要求に変換し得る。それによって、ＭＳ１０４は、ＬＣＰエコー応答によりエコー要求に応答し得、サービングノード１０２は、Ｌ２ＴＰキープアライブに応答する際に、当該応答を利用し得る。一方、サービングノード１０２におけるＭＳ１０４向けの非アクティビティタイマーがしきい値を下回っている場合、サービングノード１０２は、ＭＳ１０４にＬＣＰエコー要求メッセージを送ることなく、Ｌ２ＴＰ  ＺＬＢ  ＡＣＫによりサーバ１０６に応答し得る。
【００２７】
別の例では、サーバ１０６は、ＬＣＰエコー要求がより低い頻度で送信されるように、ＭＳ１０４向けのＬＣＰエコー要求を送る際に、より大きい値を有する非アクティビティタイマーを利用し得る。
【００２８】
図２は、移動局に送られるサーバ要求の数を減らすためのワイヤレス通信システム２００の一例を示している。一例では、ワイヤレス通信システム２００は、図示のようにワイヤレスデバイスにサーバ要求が送信される頻度を減らすのを容易にする。一例では、ワイヤレス通信システム２００はサービングノード１０２を含み、サービングノード１０２はＭＳ１０４に対し、サーバ１０６を介したワイヤレスネットワークへのアクセスを提供することができる。一例では、サービングノード１０２は、ＭＳ、サービングノード、または別のデバイスに向けられた１つまたは複数のサーバ要求を取得するサーバ要求受信構成要素２０２を含む。一例では、サービングノード１０２は、サーバに応答を送信するサーバ要求応答構成要素２０４を含む。サービングノード１０２はまた、ＭＳにサーバ要求を通信するサーバ要求転送構成要素２０６を含み得る。サービングノード１０２はまた、ＭＳから応答を取得するサーバ応答受信構成要素２０８を含み得る。
【００２９】
一例によれば、サーバ１０６は、サービングノード１０２を通じてＭＳ１０４に関係するサーバ要求を送信する。たとえば、サーバ要求は、（たとえば、サーバ１０６における非アクティビティタイマーの終了に伴い送信される）キープアライブ要求、ステータス要求などであり得る。サーバ要求受信構成要素２０２は、サーバ要求を取得し、調べることがあり、それによりＭＳ１０４に信号を送ることなく応答すべきか否かが判断され得る。たとえば、要求がキープアライブ要求である場合、サーバ要求応答構成要素２０４がＭＳ１０４に代わってサーバ１０６にキープアライブ応答を送信する。
【００３０】
一例では、サーバ要求応答構成要素２０４は、サービングノード１０２とＭＳ１０４との間で以前に実行されたキープアライブ手順に少なくとも部分的に基づいて、そのように動作する。一例では、サーバ１０６はインスタントメッセージング（ＩＭ）サーバであり、ＩＭサーバはＭＳ１０４にキープアライブ要求を送信して、ＭＳ１０４がサーバ１０６からＩＭを受信できるようにアクティブになっていることを確認する。サービングノード１０２も、ＰＰＰ接続の維持の一部として、同様の手順を実行し得る。したがって、サービングノード１０２がＰＰＰ接続キープアライブからの応答を有するとき、サーバ要求応答構成要素２０４は、ＭＳ１０４に信号を送ることなく、サーバ１０６に対し、ＰＰＰ接続キープアライブまたはＰＰＰ接続キープアライブに基づく応答を転送する。別の例では、サーバ要求応答構成要素２０４は、そのような要求を受信することなく、サーバ１０６にキープアライブまたは同様のメッセージを送信する。さらに別の例では、ワイヤレスデバイスから受信したＰＰＰキープアライブメッセージは、サービングノードによってＩＭキープアライブメッセージに変換され、サーバに送られる。
【００３１】
別の例では、サービングノード１０２は、ＭＳ１０４にＬ２ＴＰトンネルを提供するために、ＬＡＣを実装し、サーバ１０６は、ＬＮＳを実装する（たとえば、サーバ１０６は、Ｍ２Ｍサーバであり得る）。この例では、サービングノード１０２は、サーバ１０６からキープアライブ要求（たとえば、ＬＣＰエコー要求または同様の要求）を受信し得る。サービングノード１０２は、サーバ１０６からＭＳ１０４にＬ２ＴＰトンネルを介して送信されるパケットを調べることがあり、サーバ要求受信構成要素２０２は、ＬＣＰエコー要求を取得することがある。一例では、サーバ要求応答構成要素２０４は、ＭＳ１０４に対して割り込むこと、または信号を送ることなく、サーバ１０６にＬＣＰエコー応答を送信し得る。
【００３２】
別の例では、サーバ要求受信構成要素２０２がサーバ１０６からキープアライブ要求を取得すると、サーバ要求転送構成要素２０６は、ＭＳ１０４に関係するサービングノード１０２における非アクティビティタイマー（または同様のタイマー）に少なくとも部分的に基づいて、ＭＳ１０４にキープアライブ要求を通信すべきか否かを判断し得る。したがって、たとえば、非アクティビティタイマーが、非アクティビティを示す終了値からしきい値の範囲内にある場合、サーバ要求転送構成要素２０６は、ＭＳ１０４にキープアライブ要求を送信し得る。一態様では、アプリケーションレベルのキープアライブメッセージが、情報交換によって検出され得る。一例では、情報交換は、ＭＳ１０４とサービングノード１０２との間である。別の例では、情報交換は、サービングノード１０２とサーバ１０６との間である。一態様では、情報交換は、ソースＩＰアドレス、ターゲットＩＰアドレス、ソースポート番号、ターゲットポート番号、プロトコル識別子、オフセットアプリケーションキープアライブメッセージ識別子（またはアプリケーションキープアライブメッセージ識別子の位置）、アプリケーションキープアライブタイマーなどのパケットフィルタ情報を含む。一例では、情報交換が生じた後、サービングノード１０２は、ＭＳ１０４に代わってプロキシとして動作し始める。
【００３３】
一例によれば、ＭＳ１０４はサービングノード１０２に対し、キープアライブ要求に関係するキープアライブ応答を送信する。サーバ応答受信構成要素２０８は、この例では、ＭＳ１０４からキープアライブ応答を取得することがあり、サーバ要求応答構成要素２０４はサーバ１０６に対し、キープアライブ応答または関係する応答を転送することがある。したがって、たとえば、サービングノード１０２は、ＭＳ１０４に対し割り込むことなく、ＭＳ１０４に関係するサーバ１０６からのキープアライブ要求の少なくとも一部分に応答し得る。サーバ応答受信構成要素２０８は、ＭＳ１０４からのキープアライブ応答を取得すると、非アクティビティタイマーをリセットし得ることを諒解されたい。別の例では、サービングノード１０２は、ＰＰＰを介してＭＳ１０４から実質的にどんな通信を受信しても、非アクティビティタイマーをリセットする。
【００３４】
Ｌ２ＴＰを使用した別の例では、サーバ１０６は、ＭＳ１０４に関係するＬＣＰエコー要求の代わりに、サービングノード１０２との間でＬ２ＴＰキープアライブ（Ｈｅｌｌｏ）メッセージを利用する。サービングノード１０２は、ＭＳ１０４がアクティブであることを確認する。この点について、サーバ１０６はサービングノード１０２に対し、Ｌ２ＴＰキープアライブメッセージを送信することがあり、サーバ要求受信構成要素２０２はＬ２ＴＰキープアライブメッセージを受信することがあり、サーバ要求転送構成要素２０６は、ＭＳ１０４に関係する非アクティビティタイマーが非アクティビティを示す値のしきい値差の範囲内にあるか否かを判断することがある。しきい値差の範囲内にある場合、サーバ要求転送構成要素２０６はＭＳ１０４に対し、ＬＣＰエコー要求を送信する。サーバ応答受信構成要素２０８がＭＳ１０４からのＬＣＰエコー応答を取得した場合、サーバ要求応答構成要素２０４はサーバ１０６に対し、Ｌ２ＴＰキープアライブメッセージに応答して、ＺＬＢ  ＡＣＫを送信し得る。非アクティビティタイマーがしきい値差の範囲内にないとサーバ要求受信構成要素２０２が判断した場合、サーバ要求応答構成要素２０４はサーバ１０６に対し、ＺＬＢ  ＡＣＫを送信する。説明したように、サーバ応答受信構成要素２０８は、ＭＳ１０４からキープアライブ応答を受信すると、非アクティビティタイマーをリセットし得ることを諒解されたい。
【００３５】
さらに別の例では、サービングノード１０２は、ＬＴＥにおけるモビリティ管理エンティティ（ＭＭＥ）またはゲートウェイである。一例では、サービングノード１０２は、ＭＳ１０４とサーバ１０６との間にＧＰＲＳトンネリングプロトコル（ＧＴＰ）トンネルを確立し得る。サーバ１０６も同様に、サービングノード１０２を通じて、ＭＳ１０４のキープアライブメッセージ、ステータスメッセージ、または他の接続関係情報を要求し得る。サーバ要求受信構成要素２０２も同様に、そのような要求を受信することがあり、サーバ要求応答構成要素２０４は、（たとえば、サービングノード１０２が利用可能な情報に応じて）ＭＳ１０４に信号を送って、または送ることなく、サーバ１０６に応答を送信することがある。ＭＳ１０４からの応答が必要な場合、サーバ要求転送構成要素２０６はＭＳ１０４に対し、当該要求または関係する要求を送信し、サーバ応答受信構成要素２０８は、ＭＳ１０４からの応答メッセージを取得することがあり、サーバ要求応答構成要素２０４はそれをサーバ１０６に送信し得る。
【００３６】
ＬＴＥにおいてサービングノード１０２に対し、サーバ１０６がキープアライブメッセージを要求したとき、サーバ要求応答構成要素２０４は、トラッキングエリアアップデートタイマー（Ｔｒａｃｋｉｎｇ−Ａｒｅａ−Ｕｐｄａｔｅ  ｔｉｍｅｒ）（たとえば、および／または説明したように、タイマーが、通信がアクティブでないことを示す値からのしきい値差の範囲内であるか否か）に少なくとも部分的に基づいて、ＭＥ１０４との通信がアクティブか否かを判断し得る。さらに、たとえば、サービングノード１０２は、ＵＭＴＳにおけるサービングＧＰＲＳサポートノード（ＳＧＳＮ：ｓｅｒｖｉｎｇ  ＧＰＲＳ  ｓｕｐｐｏｒｔ  ｎｏｄｅ）であってよく、ＵＭＴＳにおけるＭＳ１０４とサーバ１０６との間の同様の機能を提供し得る。
【００３７】
図３は、プロキシを使用して移動局に代わってサーバ応答メッセージを送信するためのワイヤレス通信システム３００の一例を示している。一例では、ワイヤレス通信システム３００は、プロキシを使用してサーバ応答を送信するのを容易にする。図３に示すように、ワイヤレス通信システム３００は、サービングノード１０２にプロキシを含み、これにより少なくとも１つのＭＳ１０４にＩＭサーバ３０２へのアクセスが提供される。たとえば、ＭＳ１０４は、ＰＰＰ接続、Ｌ２ＴＰ接続、ＧＴＰ接続（たとえば、ＬＴＥにおけるもの）などを通じてサービングノード１０２を介してＩＭサーバ３０２と通信することができるＵＥ、モデム（または他のテザーデバイス）、中継ノード、アクセスポイントなどであってよい。加えて、図示のノード間の通信を容易にするために、ワイヤレス通信システム３００に追加の構成要素が存在し得ることを諒解されたい。
【００３８】
一例によれば、ＭＳ１０４は、サービングノード１０２との間で通信プロトコルをセットアップ３０４し得る。たとえば、ＭＳ１０４は、（たとえば、サービングノード１０２を介して）ＩＭサーバ３０２との間でＴＣＰ／ＩＰセッション確立またはＩＭオープン要求３０６（および／または同様のもの）を確立し得る。ＭＳ１０４が以前にサービングノード１０２および場合によってはプロキシコンテキストとの間で接続をセットアップしていることがあることを諒解されたい。接続されると、ＭＳ１０４はまた、サービングノード１０２を通じてＩＭサーバ３０２との間でＩＭ信号を送受信するために、サービングノード１０２との間でプロキシシグナリングを確立３０８し得る。たとえば、サービングノード１０２は、ＭＳ１０４に代わってＩＭサーバ３０２に対し、キープアライブメッセージ３１０と、３１２と、３１４とを送信し得る。たとえば、サービングノード１０２は、ＩＭサーバ３０２から要請されることなく、キープアライブメッセージ３１０と、３１２と、３１４とを転送し得る。加えて、サービングノード１０２は、ＭＳ１０４のコンテキストを記憶することがあり、キープアライブメッセージ３１０、３１２、もしくは３１４、ステータスメッセージ、または他のメッセージが、（たとえば、そのようなメッセージを送るためのタイマーを含み得る）コンテキストに少なくとも部分的に基づいて送信されることがある。別の例では、サービングノード１０２は、記憶されているコンテキストに少なくとも部分的に基づいて、ＭＳ１０４とＩＭサーバ３０２との間の通信のためのヘッダを圧縮するのを容易にする。
【００３９】
図４は、Ｌ２ＴＰ通信におけるキープアライブメッセージの数を減らすためのワイヤレス通信システム４００の一例を示している。一例では、ワイヤレス通信システム４００は、ＭＳに送信されるＬＣＰエコー要求を減らすのを容易にする。図４に示すように、ワイヤレス通信システム４００は、パケットデータサービングノード（ＰＤＳＮ）４０２を含み、ＰＤＳＮ４０２はＬＡＣであってよく、Ｍ２Ｍサーバ４０４を介してＭＳ１０４にネットワークアクセスを提供し、Ｍ２Ｍサーバ４０４はＬＮＳであってよい。加えて、ワイヤレス通信システム４００は、Ｍ２Ｍサーバ４０４との通信に際してＰＤＳＮ４０２および／またはＭＳ１０４を認証するために、ＰＤＳＮ４０２とＭ２Ｍサーバ４０４との間に認証、認可、および課金（ＡＡＡ）モジュール４０６を含み得る。
【００４０】
一例によれば、ＭＳ１０４は、ＰＰＰセッションを確立するために、ＰＤＳＮ４０２との間でＬＣＰ交渉４０８を実行する。この例では、ＰＤＳＮ４０２は４１０において、ＭＳ１０４に対し認証情報を要求し、受信した認証情報をＡＡＡ４０６に提供することがある。加えて、４１０において、ＡＡＡ４０６はＭＳ１０４を認証することがあり、ＰＤＳＮ４０２を通じてＭＳ１０４に確認応答および／またはさらなる認証情報を転送することがある。ＰＤＳＮ４０２はその後、ＭＳ１０４にＬ２ＴＰセッション（または関係するトンネル）を提供するために、ＬＮＳ（たとえば、Ｍ２Ｍサーバ）４０４に対するＬＣＰ状態および認証状態転送４１２により、Ｌ２ＴＰトンネルを交渉し得る。加えて、たとえば、ＭＳ１０４は、Ｍ２Ｍサーバ４０４と通信するにあたりＩＰアドレスおよび／または他のアドレスを受信するために、Ｍ２Ｍサーバ４０４との間でインターネットプロトコル制御プロトコル（ＩＰＣＰ）を交渉４１４することがあり、ＭＳ１０４はＭ２Ｍサーバ４０４に対し、Ｌ２ＴＰトンネルを通じてデータを送信４１６し得る。
【００４１】
一例では、ＭＳ１０４のために確立されたＬ２ＴＰセッションの一部として、Ｍ２Ｍサーバ４０４は、ＭＳ１０４がアクティブであることを確認するために、ＭＳ１０４に関係するＬＣＰエコー要求４１８を送信する。ＰＤＳＮ４０２は、ＭＳ１０４向けのＬＣＰエコー要求を受信することがあり、当該要求を調べることがある。たとえば、ＰＤＳＮ４０２は、４２０においてタイマー（たとえば、ＰＰＰ非アクティビティタイマー）をチェックして、ＭＳ１０４にＬＣＰエコー要求を転送すべきか否かを判断し得る。この例では、タイマーは、タイマーとＰＰＰ非アクティビティを示す値との間のしきい値差の範囲外にあることがあり、その場合、ＰＤＳＮ４０２は、ＭＳ１０４に転送することなく、Ｍ２Ｍサーバ４０４にＬＣＰエコー応答４２２を送信し得る。
【００４２】
その後（たとえば、１つまたは複数の追加のＬＣＰエコー要求などの後）、Ｍ２Ｍサーバ４０４は、ＭＳ１０４向けの別のＬＣＰエコー要求４２４を送信し得る。ＰＤＳＮ４０２は、当該要求を調べることがあり、４２６において再びタイマーをチェックすることがある。この例では、タイマーが上述のしきい値差の範囲内にある（または、一例では終了している）ことがあり、その場合、ＰＤＳＮ４０２はＭＳ１０４にＬＣＰエコー要求４２８を転送し得る。ＭＳ１０４は、Ｍ２Ｍサーバ４０４に提供するためのＬＣＰエコー応答４３０をＰＤＳＮ４０２に送ることがあり、ＰＤＳＮ４０２は、Ｍ２Ｍサーバ４０４にＬＣＰエコー応答４３２を提供することがある。ＰＤＳＮ４０２は、ＬＣＰエコー応答４３０を受信するとタイマーをリセットし得ることを諒解されたい。別の例では、ＬＣＰエコー要求４１８および４２４は、Ｌ２ＴＰキープアライブ（Ｈｅｌｌｏ）メッセージであってよく、ＬＣＰエコー応答４２２および４３２は、ＺＬＢ  ＡＣＫであってよい。
【００４３】
図５は、移動局にサーバメッセージを転送する頻度を減らすための流れ図５００の一例を示している。一例では、流れ図５００は、移動局に送られるサーバ要求の数を減らすことを容易にすることができる。５０２において、ネットワークサーバから移動局に向けられたサーバ要求を受信する。要求は、キープアライブ要求（たとえば、ＬＣＰエコー要求、Ｌ２ＴＰキープアライブ（Ｈｅｌｌｏ）メッセージなど）、ステータス要求などであり得る。加えて、一例では、ネットワークサーバは、ＩＭサーバ、ＬＮＳなどであり得る。５０４において、移動局にサーバ要求を転送すべきか否かを判断する。たとえば、この判断は、移動局に関係する非アクティビティタイマー、移動局に関する記憶されているコンテキストなどに少なくとも部分的に基づいて行われ得る。一例では、判断するステップは、キープアライブ応答を受信することに伴い非アクティビティタイマーをリセットすることを含む。一態様では、判断するステップは、非アクティビティタイマーの値に少なくとも部分的に基づいて移動局にキープアライブ要求を転送することと、キープアライブ応答であるサーバ応答を移動局から受信することとをさらに備える。一態様では、判断するステップは、Ｌ２ＴＰキープアライブメッセージをポイントツーポイントプロトコル（ＰＰＰ）リンク制御プロトコル（ＬＣＰ）エコー要求に変換することと、非アクティビティタイマーの値に少なくとも部分的に基づいて移動局にＰＰＰ  ＬＣＰエコー要求を送信することとをさらに備える。別の態様では、判断するステップは、移動局からＬＣＰエコー応答を受信することと、ＬＣＰエコー応答を受信することに少なくとも部分的に基づいて、Ｌ２ＴＰキープアライブメッセージに応答してネットワークサーバにゼロ長本文確認応答を送信することとをさらに備える。
【００４４】
５０６において、サーバ要求に少なくとも部分的に基づいてネットワークサーバにサーバ応答を送信する。したがって、たとえばサーバ応答は、移動局にサーバ要求を転送したことに応答して移動局から受信されること、または移動局に対して割り込むことなく送信されることがある。サーバ応答は、キープアライブ応答（たとえば、ＬＣＰエコー応答）、ステータス応答などであり得る。
【００４５】
図６は、移動局に転送されるサーバメッセージの数を減らすためのデバイス６００の一例を示している。一例では、デバイス６００は、関係するサーバ要求をモバイルデバイスに転送して、または転送することなく、サーバ応答を送信するのを容易にし得る。たとえば、デバイス６００は、少なくとも部分的に基地局、モバイルデバイスなどの内部に常駐し得る。デバイス６００は機能ブロックを含むものとして表されており、この機能ブロックは、プロセッサ、ソフトウェア、またはそれらの組合せ（たとえば、ファームウェア）によって実装される機能を表す機能ブロックであり得ることを諒解されたい。一態様では、デバイス６００は、連携して動作することができる電気的構成要素の論理グルーピング６０２を含む。たとえば、論理グルーピング６０２は、移動局に向けられたネットワークサーバからのサーバ要求を受信するための電気的構成要素６０４を含み得る。たとえば、サーバ要求は、ＬＣＰエコー要求、Ｌ２ＴＰキープアライブ（Ｈｅｌｌｏ）メッセージなどに関係し得る。加えて、ネットワークサーバは、ＩＭサーバ、ＬＮＳなどであり得る。
【００４６】
さらに、論理グルーピング６０２は、移動局にサーバ要求を転送すべきか否かを判断するための電気的構成要素６０６を含み得る。また、一例ではこれは、サーバ要求がキープアライブ要求である場合に、移動局に関係する非アクティビティタイマーの値を判断することを含み得る。たとえば、非アクティビティタイマー値が、非アクティビティを示す値からのしきい値差を下回る場合、電気的構成要素６０６は移動局にキープアライブ要求を転送し得る。論理グルーピング６０２は、移動局に代わってサーバ要求に少なくとも部分的に基づいてネットワークサーバにサーバ応答を送信するための電気的構成要素６０８をさらに含み得る。したがって、電気的構成要素６０６がサーバ要求を転送するか転送しないかにかかわらず、電気的構成要素６０８はサーバ応答を送信し得る。
【００４７】
さらに、論理グルーピング６０２は、移動局からサーバ応答を受信するための電気的構成要素６１０を含み得る。これは、電気的構成要素６０６が（たとえば、ローカル非アクティビティタイマーに少なくとも部分的に基づいて、移動局から以前に受信されたローカルパラメータが存在していない情報を取得するために、など）移動局にサーバ要求を転送した場合に生じ得る。さらに、デバイス６００は、電気的構成要素６０４、６０６、６０８および６１０に関連付けられた機能を実行するための命令を保持するメモリ６１２を含み得る。電気的構成要素６０４、６０６、６０８および６１０は、メモリ６１２の外部にあるものとして示されているが、これらのうちの１つまたは複数は、メモリ６１２の内部に存在し得ることを理解されたい。
【００４８】
図７は、本明細書で説明する態様によるサービングノードの一例を示している。一例では、サービングノード７００は、本明細書で説明する構成要素および機能のうちの１つまたは複数に関連する処理機能を実行するためのプロセッサ７０２を含む。プロセッサ７０２は、プロセッサまたはマルチコアプロセッサの単一または複数のセットを含み得る。さらに、プロセッサ７０２は、統合処理システムおよび／または分散処理システムとして実装され得る。
【００４９】
一態様では、サービングノード７００は、プロセッサ７０２によって実行されているアプリケーションのローカルバージョンを記憶するためなどのメモリ７０４をさらに含む。メモリ７０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータが使用できるタイプのメモリを含み得る。
【００５０】
さらに、一態様では、サービングノード７００は、本明細書で説明するように、ハードウェア、ソフトウェア、およびサービスを利用して、１つまたは複数の相手との通信を確立し、維持することを行う通信構成要素７０６を含む。通信構成要素７０６は、サービングノード７００上の構成要素間、ならびにサービングノード７００と、通信ネットワーク上に位置するデバイスおよび／あるいはサービングノード７００に直列またはローカルに接続されたデバイスなどの外部デバイスとの間の通信を伝え得る。たとえば、通信構成要素７０６は、１つまたは複数のバスを含み得、それぞれ送信機および受信機に関連する、外部デバイスとワイヤレスに、または有線でインターフェースするように動作可能な送信チェーン構成要素および受信チェーン構成要素をさらに含み得る。
【００５１】
さらに、サービングノード７００は、データストア７０８をさらに含み得、データストア７０８は、本明細書で説明する態様に関連して採用される情報、データベース、およびプログラムの大容量記憶を提供するハードウェアおよび／またはソフトウェアの任意の適切な組合せであり得る。たとえば、データストア７０８は、プロセッサ７０２によって現在実行されていないアプリケーションのためのデータリポジトリであり得る。
【００５２】
サービングノード７００は、サービングノード７００のユーザから入力を受信するように動作可能であり、ユーザへの提示のための出力を生成するようにさらに動作可能な、ユーザインターフェース構成要素７１０をさらに含み得る。ユーザインターフェース構成要素７１０は、限定はしないが、キーボード、テンキー、マウス、タッチセンシティブディスプレイ、ナビゲーションキー、ファンクションキー、マイクロフォン、音声認識構成要素、ユーザから入力を受けることが可能な任意の他の機構、またはそれらの任意の組合せを含む、１つまたは複数の入力デバイスを含み得る。さらに、ユーザインターフェース構成要素７１０は、限定はしないが、ディスプレイ、スピーカー、触覚フィードバック機構、プリンタ、出力をユーザに提示することが可能な任意の他の機構、またはそれらの任意の組合せを含む、１つまたは複数の出力デバイスを含み得る。
【００５３】
サービングノード７００は、ネットワークサーバからＭＳ向けの１つまたは複数のサーバ要求を取得し得るサーバ要求受信構成要素２０２と、（たとえば、ＭＳからの応答に基づく、またはＭＳに信号を送らないようにローカルに生成され送信される）サーバ応答をネットワークサーバに送信するサーバ要求応答構成要素２０４と、受信したサーバ要求をＭＳに送信するサーバ要求転送構成要素２０６と、要求の送信先であるＭＳからサーバ応答を取得するサーバ応答受信構成要素２０８とを含み得る。たとえば、通信構成要素７０６は、サーバ要求またはサーバ応答を含む通信を受信するのを容易にすることがあり、そのようなものを含む通信を送信するのをさらに容易にすることがある。さらに、プロセッサ７０２は、たとえば、構成要素２０２、２０４、２０６、および２０８のうちの１つまたは複数を実行し得る。
【００５４】
一態様では、Ｌ２ＴＰは、セルラー事業者とサービスプロバイダとの間のＰＰＰ拡張として使用され得る。しかしながら、ＬＮＳにおいてＰＰＰによって実行されるキープアライブメッセージは、セルラー事業者ネットワークに対する不要なシグナリングを生じさせかねない。一般に事業者は、サービスプロバイダが所有するいかなるネットワークエンティティも制御することができない。ゲートウェイ、たとえば、セルラーネットワークにおけるＰＤＳＮは、ＬＮＳによって送られるキープアライブメッセージを制御するためのプロキシであってよく、その結果、エアインターフェースおよびバックホール（ｂａｃｋｈａｕｌ）リンクを介した事業者のネットワークにおける不要なシグナリングが減少し得る。
【００５５】
一例では、ネットワークは、Ｌ２ＴＰを使用するＭ２ＭサーバおよびＰＤＳＮ（ＬＮＳがＭ２Ｍサーバに位置し、ＬＡＣがＰＤＳＮに位置する場合）と、ＲＦＣ２６６１（Ｌ２ＴＰ  ｖ２）、ＲＦＣ２８６７（ＲＡＤＩＵＳ  Ａｃｃｏｕｎｔｉｎｇ  Ｍｏｄｉｆｉｃａｔｉｏｎｓ  ｆｏｒ  Ｔｕｎｎｅｌ  Ｐｒｏｔｏｃｏｌ  Ｓｕｐｐｏｒｔ）、およびＲＦＣ２８６８（ＲＡＤＩＵＳ  Ａｔｔｒｉｂｕｔｅｓ  ｆｏｒ  Ｔｕｎｎｅｌ  Ｓｕｐｐｏｒｔ）のようないくつかのＲｅｑｕｅｓｔ  ｆｏｒ  Ｃｏｍｍｅｎｔｓ（ＲＦＣ）とを有し得る。別の例では、Ｍ２Ｍサーバは、キープアライブメッセージをしばしば送る（キープアライブメッセージがＰＰＰ  ＬＣＰエコー要求とＰＰＰ  ＬＣＰエコー応答とを使用する場合）。このステップは、エアインターフェースおよびネットワークに不要なトラフィックを相当加えかねない。場合によっては、当事者はＭ２Ｍサーバを制御できないこともある。
【００５６】
図８は、Ｌ２ＴＰトンネルにおけるシグナリングオーバーヘッドを減らすためのコールフローの一例を示している。この実装形態にはいくつかのオプションがある。第１のオプションでは、ＰＤＳＮ（ＬＡＣ）がＰＰＰプロキシとして機能し得る。一態様では、ＰＤＳＮはＬ２ＴＰにおいてＰＰＰパケットを調べ、ＰＰＰパケットがＬＣＰエコー要求である場合であって、ＰＤＳＮに設定されているＰＰＰ非アクティビティタイマーが終了間近である場合に、ＰＤＳＮはＭＳにＬＣＰエコー要求を転送し、ＭＳからＬＣＰエコー応答を受信した後にＰＰＰ非アクティビティタイマーをリセットし、次いでＬＮＳにＬＣＰエコー応答を転送し得る。他の場合は、ＰＤＳＮは、ＭＳにＬＣＰエコー要求を転送することなく、ＬＮＳに対しＭＳに代わってＬＣＰエコー応答により応答し得る。
【００５７】
第２のオプションでは、ＬＮＳは、Ｌ２ＴＰキープアライブ（Ｈｅｌｌｏ）メッセージを使用することがあり、必要な場合には、ＰＤＳＮはＬ２ＴＰ  ＨｅｌｌｏメッセージをＬＣＰエコー要求に変換する。ＰＤＳＮに設定されているＰＰＰ非アクティビティタイマーが終了間近である場合、ＰＤＳＮはＭＳにＬＣＰエコー要求を送り、ＭＳからＬＣＰエコー応答を受信した後にＰＰＰ非アクティビティタイマーをリセットし、次いでＬＮＳにＬ２ＴＰ  ＺＬＢ  ＡＣＫを送り得る。
【００５８】
第３のオプションでは、ＬＮＳにおけるＰＰＰ非アクティビティタイマーが大きい値に設定されることがあり、それによりＬＮＳがＬＣＰエコー要求メッセージをより少ない頻度で送ることになる。
【００５９】
図９は、インスタントメッセンジャー用の例示的なアプリケーションを示している。一例では、図９は、移動局に必然的に信号を送ることなく、移動局向けのステータス要求を処理するプロキシを実装するための例示的な実装形態を示している。図示のように、アクセス端末（ＡＴ）とＩＭサーバとの間のアプリケーションシグナリングによる従来技術の実装形態は、ＡＴに代わってキープアライブメッセージを送り得るＰＤＳＮ上のプロキシに置き換えられる。
【００６０】
一態様では、アプリケーションプロキシがＰＤＳＮに確立され得る。アプリケーションプロキシは、ＵＥに代わって、アプリケーションサーバにより、ユーザ生成データを含まないシグナリングを実行し得る。シグナリングの例には、キープアライブメッセージ、ステータス更新メッセージなどがある。一例では、ＰＤＳＮにおいて知られているＰＰＰリンクステータスを使用して、アプリケーション層キープアライブメッセージを生成し得る。
【００６１】
別の態様では、アプリケーションプロキシの使用は、いくつかの利点を有し、たとえば、「存在」の指示に基づくアプリケーションレベルシグナリングが、たとえば、インスタントメッセージング（ＩＭ）の場合にプロキシによって処理され得る。プロキシにおいてコンテキストが維持されている場合、アプリケーションヘッダ圧縮が、ＡＴとアプリケーションプロキシとの間で用いられ得る。たとえば、ＧＥＴｚｉｐは、ｈｔｔｐベースの圧縮の一例である。
【００６２】
別の態様では、アプリケーションプロキシが、存在情報に役立つＡＴのリンクステータスを把握しているエンティティに位置し得る。ＨＲＰＤの一例では、ＰＤＳＮ／ＨＳＧＷはＡＴのリンクステータスを把握し得る。別の例では、アプリケーションプロキシがアプリケーションライターによって提供され得るが、この場合、アプリケーションプロキシは、ＰＤＳＮから来るリンクレベル情報を利用してもよい。ＰＤＳＮは、アプリケーションプロキシが使用し得るアプリケーションプログラミングインターフェース（ＡＰＩ）、たとえば、リンクステータス、サービス品質（ＱｏＳ）メトリクスなどを提供し得る。別の例では、ＰＤＳＮは、ポート番号に基づいてアプリケーションパケットを識別し、インターセプトするためのディープパケットインスペクション（ＤＰＩ）を採用し得る。
【００６３】
図５の例示的な流れ図に開示したステップは、本開示の範囲および趣旨から逸脱することなくそれらの順序を交換され得ることを当業者ならば理解されよう。また、流れ図に示すステップは排他的なものではなく、本開示の範囲および趣旨に影響を及ぼすことなく他のステップを含み得るかあるいは例示的な流れ図のステップのうちの１つまたは複数を削除し得ることを当業者ならば理解されよう。
【００６４】
さらに、本明細書で開示する例に関して説明する様々な例示的な構成要素、論理ブロック、モジュール、回路、および／またはアルゴリズムステップは、電子ハードウェア、ファームウェア、コンピュータソフトウェア、またはそれらの組合せとして実装され得ることを当業者ならば諒解されよう。ハードウェア、ファームウェア、およびソフトウェアのこの互換性を明確に示すために、様々な例示的な構成要素、ブロック、モジュール、回路、および／またはアルゴリズムステップについて、上記では概してそれらの機能に関して説明した。そのような機能をハードウェアとして実装するか、ファームウェアとして実装するか、またはソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲または趣旨からの逸脱を生じるものと解釈すべきではない。
【００６５】
たとえば、ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。ソフトウェアの場合、実装は、本明細書で説明する機能を実行するモジュール（たとえば、プロシージャ、関数など）を介し得る。ソフトウェアコードは、メモリユニットに記憶され、プロセッサユニットによって実行され得る。さらに、本明細書で説明する様々な例示的な流れ図、論理ブロック、モジュール、および／またはアルゴリズムステップは、当技術分野で知られている任意のコンピュータ可読媒体上で搬送されるかまたは当技術分野で知られている任意のコンピュータプログラム製品に実装されたコンピュータ可読命令としてもコード化され得る。一態様では、コンピュータ可読媒体は非一時的コンピュータ可読媒体を含む。
【００６６】
１つまたは複数の例では、本明細書で説明するステップまたは機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、コンピュータによってアクセスできる任意の利用可能な媒体でよい。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含み得る。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（ｄｉｓｋ）およびディスク（ｄｉｓｃ）は、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびブルーレイ（登録商標）ディスク（ｄｉｓｃ）を含み、この場合、ディスク（ｄｉｓｋ）は、通常、データを磁気的に再生し、ディスク（ｄｉｓｃ）はデータをレーザで光学的に再生する。上記の組合せもコンピュータ可読媒体の範囲内に含めるべきである。
【００６７】
図１０は、移動局にサーバメッセージを転送する頻度を減らすのに適したデバイス１０００の一例を示している。一態様では、デバイス１０００は、本明細書のブロック１０１０、１０２０、および１０３０において説明するように、移動局にサーバメッセージを転送する頻度を減らすことの異なる態様を提供するように構成された１つまたは複数のモジュールを備える少なくとも１つのプロセッサによって実装される。たとえば、各モジュールはハードウェア、ファームウェア、ソフトウェア、またはそれらの任意の組合せを含む。一態様では、デバイス１０００は、少なくとも１つのプロセッサと通信している少なくとも１つのメモリによっても実装される。
【００６８】
図１１は、本開示の一態様による、多元接続ワイヤレス通信システムの一例を示している。図１１では、アクセスポイント１１００（ＡＰ）は、複数のアンテナグループを含み、あるアンテナグループは１１０４と１１０６とを含み、別のアンテナグループは１１０８と１１１０とを含み、追加のアンテナグループは１１１２と１１１４とを含む。図１１では、アンテナグループごとに２つのアンテナのみが示されているが、アンテナグループごとにより多いまたはより少ないアンテナが利用され得る。アクセス端末１１１６（ＡＴ）はアンテナ１１１２および１１１４と通信中であり、アンテナ１１１２および１１１４は、順方向リンク１１２０上でアクセス端末１１１６に情報を送信し、逆方向リンク１１１８上でアクセス端末１１１６から情報を受信する。アクセス端末１１２２はアンテナ１１０６および１１０８と通信中であり、アンテナ１１０６および１１０８は、順方向リンク１１２６上でアクセス端末１１２２に情報を送信し、逆方向リンク１１２４上でアクセス端末１１２２から情報を受信する。ＦＤＤシステムでは、通信リンク１１１８、１１２０、１１２４および１１２６は、通信のための異なる周波数を使用することができる。たとえば、順方向リンク１１２０は、逆方向リンク１１１８によって使用される周波数とは異なる周波数を使用し得る。
【００６９】
アンテナの各グループ、および／またはアンテナが通信するように設計された領域は、しばしば、アクセスポイントのセクタと呼ばれる。一例では、アンテナグループはそれぞれ、アクセスポイント１１００によってカバーされる領域のセクタ内でアクセス端末に通信するように設計される。
【００７０】
順方向リンク１１２０および１１２６上の通信では、アクセスポイント１１００の送信アンテナは、異なるアクセス端末１１１６および１１２４に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００７１】
アクセスポイントは、端末との通信に使用される固定局でもよく、アクセスポイント、ノードＢ、ｅノードＢまたは何らかの他の用語で呼ばれることもある。アクセス端末は、ユーザ機器（ＵＥ）、ワイヤレス通信デバイス、端末または何らかの他の用語で呼ばれることもある。
【００７２】
図１２は、本開示の一態様による、ワイヤレス通信システムのブロック図の一例を示している。図１２には、ＭＩＭＯシステム１２００における（アクセスポイントとしても知られる）送信機システム１２１０および（アクセス端末としても知られる）受信機システム１２５０が示されている。送信機システム１２１０において、いくつかのデータストリームのトラフィックデータがデータソース１２１２から送信（ＴＸ）データプロセッサ１２１４に供給される。一例では、各データストリームは、それぞれの送信アンテナを介して送信される。ＴＸデータプロセッサ１２１４は、データストリーム用に選択された特定のコーディング方式に基づいて、そのデータストリームごとにトラフィックデータをフォーマットし、コーディングし、インターリーブして、コード化データを供給する。
【００７３】
各データストリームのコード化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。次いで、各データストリームの多重化されたパイロットデータおよびコード化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ１２３０によって実行される命令によって判断され得る。
【００７４】
次いで、すべてのデータストリームの変調シンボルがＴＸ  ＭＩＭＯプロセッサ１２２０に供給され、ＴＸ  ＭＩＭＯプロセッサ１２２０はさらに（たとえば、ＯＦＤＭ用に）その変調シンボルを処理し得る。次いで、ＴＸ  ＭＩＭＯプロセッサ１２２０はＮＴ個の変調シンボルストリームをＮＴ個の送信機（ＴＭＴＲ）１２２２ａ〜１２２２ｔに供給する。いくつかの実施形態では、ＴＸ  ＭＩＭＯプロセッサ１２２０は、データストリームのシンボルと、シンボルの送信元のアンテナとにビームフォーミング重みを適用する。
【００７５】
各送信機１２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、送信機１２２２ａ〜１２２２ｔからのＮＴ個の変調信号は、それぞれＮＴ個のアンテナ１２２４ａ〜１２２４ｔから送信される。
【００７６】
受信機システム１２５０において、送信された変調信号はＮＲ個のアンテナ１２５２ａ〜１２５２ｒによって受信され、各アンテナ１２５２からの受信信号は、それぞれの受信機（ＲＣＶＲ）１２５４ａ〜１２５４ｒに供給される。各受信機１２５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給する。
【００７７】
次いで、ＲＸデータプロセッサ１２６０は、ＮＲ個の受信機１２５４からＮＲ個の受信シンボルストリームを受信し、特定の受信機処理技法に基づいて処理して、ＮＴ個の「検出」シンボルストリームを供給する。次いで、ＲＸデータプロセッサ１２６０は、各検出シンボルストリームを復調し、デインターリーブし、復号して、データストリームのトラフィックデータを復元する。ＲＸデータプロセッサ１２６０による処理は、送信機システム１２１０におけるＴＸ  ＭＩＭＯプロセッサ１２２０およびＴＸデータプロセッサ１２１４によって実行される処理を補足するものである。プロセッサ１２７０は、どのプリコーディング行列を使用すべきかを周期的に判断する（後述）。プロセッサ１２７０は、行列インデックス部分とランク値部分とを備える逆方向リンクメッセージを作成する。
【００７８】
逆方向リンクメッセージは、通信リンクおよび／または受信データストリームに関する様々なタイプの情報を備え得る。次いで、逆方向リンクメッセージは、データソース１２３６からいくつかのデータストリームのトラフィックデータをも受信するＴＸデータプロセッサ１２３８によって処理され、変調器１２８０によって変調され、送信機１２５４ａ〜１２５４ｒによって調整され、送信機システム１２１０に戻される。
【００７９】
送信機システム１２１０において、受信機システム１２５０からの変調信号は、アンテナ１２２４によって受信され、受信機１２２２によって調整され、復調器１２４０によって復調され、受信機システム１２５０によって送信された逆方向リンクメッセージを抽出するためにＲＸデータプロセッサ１２４２によって処理される。次いで、プロセッサ１２３０は、ビームフォーミング重みを判断するためにどのプリコーディング行列を使用すべきかを判断し、次いで、抽出されたメッセージを処理する。
【００８０】
一例では、本明細書で説明する例示的な構成要素、流れ図、論理ブロック、モジュール、および／またはアルゴリズムステップは、１つまたは複数のプロセッサを用いて実装または実行される。一態様では、プロセッサは、本明細書で説明する様々な流れ図、論理ブロックおよび／またはモジュールを実装または実行するために、プロセッサによって実行されるデータ、メタデータ、プログラム命令などを記憶するメモリに結合される。図１３は、移動局にサーバメッセージを転送する頻度を減らすためのプロセスを実行するためにメモリ１３２０と通信しているプロセッサ１３１０を備えるデバイス１３００の一例を示している。一例では、デバイス１３００は、図５に示すアルゴリズムを実装するために使用される。一態様では、メモリ１３２０はプロセッサ１３１０内に配置される。別の態様では、メモリ１３２０はプロセッサ１３１０の外部にある。一態様では、プロセッサは、本明細書で説明する様々な流れ図、論理ブロックおよび／またはモジュールを実装または実行するための回路を含む。
【００８１】
開示された態様の前述の説明は、当業者が本開示を実施または使用できるようにするために提供されるものである。これらの態様への様々な修正は当業者には容易に明らかになり、本明細書で定義した一般原理は、本開示の趣旨または範囲から逸脱することなく他の態様に適用され得る。
なお、以下に、出願当初の特許請求の範囲に記載された発明を付記する。
［Ｃ１］
頻繁なサーバメッセージを減らすための方法であって、
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を備える方法。
［Ｃ２］
前記判断するステップは、前記移動局とのリンク層シグナリング交換に基づき、前記送信するステップは、前記移動局に前記サーバ要求を転送することを含まない、Ｃ１に記載の方法。
［Ｃ３］
前記サーバ要求を前記受信することは、キープアライブ要求を受信することを含む、Ｃ１に記載の方法。
［Ｃ４］
前記キープアライブ要求を前記受信することは、パケットフィルタを使用して前記キープアライブ要求を検出し、前記パケットフィルタは、前記移動局または前記ネットワークサーバのいずれかによって送られる、Ｃ３に記載の方法。
［Ｃ５］
前記キープアライブ要求をリンク層キープアライブ要求に変換することをさらに備える、Ｃ３に記載の方法。
［Ｃ６］
前記サーバ要求を転送すべきか否かを前記判断することは、前記移動局からの通信に関係する非アクティビティタイマーの値を評価することを含む、Ｃ３に記載の方法。
［Ｃ７］
キープアライブ応答を受信すると、前記非アクティビティタイマーをリセットすることをさらに備える、Ｃ６に記載の方法。
［Ｃ８］
前記非アクティビティタイマーの前記値に少なくとも部分的に基づいて前記移動局に前記キープアライブ要求を転送することと、
キープアライブ応答である前記サーバ応答を前記移動局から受信することと
をさらに備える、Ｃ６に記載の方法。
［Ｃ９］
前記非アクティビティタイマーはリンク層非アクティビティタイマーである、Ｃ８に記載の方法。
［Ｃ１０］
キープアライブメッセージは、前記ネットワークサーバからのレイヤ２トンネリングプロトコル（Ｌ２ＴＰ）キープアライブメッセージである、Ｃ３に記載の方法。
［Ｃ１１］
前記Ｌ２ＴＰキープアライブメッセージをポイントツーポイントプロトコル（ＰＰＰ）リンク制御プロトコル（ＬＣＰ）エコー要求に変換することと、
非アクティビティタイマーの値に少なくとも部分的に基づいて前記移動局に前記ＰＰＰ ＬＣＰエコー要求を送信することと
をさらに備える、Ｃ１０に記載の方法。
［Ｃ１２］
前記移動局からＬＣＰエコー応答を受信することと、
前記ＬＣＰエコー応答を前記受信することに少なくとも部分的に基づいて、前記Ｌ２ＴＰキープアライブメッセージに応答して前記ネットワークサーバにゼロ長本文確認応答を送信することと
をさらに備える、Ｃ１１に記載の方法。
［Ｃ１３］
前記非アクティビティタイマーは、Ｌｏｎｇ Ｔｅｒｍ Ｅｖｏｌｕｔｉｏｎ（ＬＴＥ）システムにおけるトラッキングエリアアップデートタイマーである、Ｃ１１に記載の方法。
［Ｃ１４］
前記サーバ要求を前記受信することは、前記ネットワークサーバからＬ２ＴＰ制御プロトコル（ＬＣＰ）エコー要求を受信することを含み、前記サーバ応答を前記送信することは、前記ネットワークサーバにＬＣＰエコー応答を送信することを含む、Ｃ１に記載の方法。
［Ｃ１５］
頻繁なサーバメッセージを減らすための装置であって、プロセッサとメモリとを備え、前記メモリは、
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を実行するための前記プロセッサによって実行可能なプログラムコードを含む、装置。
［Ｃ１６］
判断するための前記プログラムコードは、前記移動局とのリンク層シグナリング交換に基づき有効であり、送信するための前記プログラムコードは、前記移動局に前記サーバ要求を転送するためのプログラムコードを含まない、Ｃ１５に記載の装置。
［Ｃ１７］
前記サーバ要求を受信するための前記プログラムコードは、キープアライブ要求を受信するためのプログラムコードを含む、Ｃ１５に記載の装置。
［Ｃ１８］
前記メモリは、パケットフィルタを使用して前記キープアライブ要求を検出するためのプログラムコードをさらに備え、前記パケットフィルタは、前記移動局または前記ネットワークサーバのいずれかによって送られる、Ｃ１７に記載の装置。
［Ｃ１９］
前記メモリは、前記キープアライブ要求をリンク層キープアライブ要求に変換するためのプログラムコードをさらに備える、Ｃ１７に記載の装置。
［Ｃ２０］
前記メモリは、前記移動局からの通信に関係する非アクティビティタイマーの値を評価するためのプログラムコードをさらに備える、Ｃ１７に記載の装置。
［Ｃ２１］
前記メモリは、キープアライブ応答を受信すると、前記非アクティビティタイマーをリセットするためのプログラムコードをさらに備える、Ｃ２０に記載の装置。
［Ｃ２２］
前記メモリは、
前記非アクティビティタイマーの前記値に少なくとも部分的に基づいて前記移動局に前記キープアライブ要求を転送し、
キープアライブ応答である前記サーバ応答を前記移動局から受信する
ためのプログラムコードをさらに備える、Ｃ２０に記載の装置。
［Ｃ２３］
前記非アクティビティタイマーはリンク層非アクティビティタイマーである、Ｃ２２に記載の装置。
［Ｃ２４］
キープアライブメッセージは、前記ネットワークサーバからのレイヤ２トンネリングプロトコル（Ｌ２ＴＰ）キープアライブメッセージである、Ｃ１７に記載の装置。
［Ｃ２５］
前記メモリは、
前記Ｌ２ＴＰキープアライブメッセージをポイントツーポイントプロトコル（ＰＰＰ）リンク制御プロトコル（ＬＣＰ）エコー要求に変換し、
非アクティビティタイマーの値に少なくとも部分的に基づいて前記移動局に前記ＰＰＰ ＬＣＰエコー要求を送信する
ためのプログラムコードをさらに備える、Ｃ２４に記載の装置。
［Ｃ２６］
前記メモリは、
前記移動局からＬＣＰエコー応答を受信し、
前記ＬＣＰエコー応答を前記受信することに少なくとも部分的に基づいて、前記Ｌ２ＴＰキープアライブメッセージに応答して前記ネットワークサーバにゼロ長本文確認応答を送信する
ためのプログラムコードをさらに備える、Ｃ２５に記載の装置。
［Ｃ２７］
前記非アクティビティタイマーは、Ｌｏｎｇ Ｔｅｒｍ Ｅｖｏｌｕｔｉｏｎ（ＬＴＥ）システムにおけるトラッキングエリアアップデートタイマーである、Ｃ２５に記載の装置。
［Ｃ２８］
前記メモリは、前記ネットワークサーバからＬ２ＴＰ制御プロトコル（ＬＣＰ）エコー要求を受信するための、かつ前記ネットワークサーバにＬＣＰエコー応答を送信するためのプログラムコードをさらに備える、Ｃ１５に記載の装置。
［Ｃ２９］
頻繁なサーバメッセージを減らすための装置であって、
移動局に向けられたネットワークサーバからのサーバ要求を受信するための手段と、
前記移動局に前記サーバ要求を転送すべきか否かを判断するための手段と、
前記移動局に代わって前記サーバ要求に少なくとも部分的に基づいて前記ネットワークサーバにサーバ応答を送信するための手段と
を備える装置。
［Ｃ３０］
判断するための前記手段は、前記移動局とのリンク層シグナリング交換に基づいて有効であり、送信するステップのための前記手段は、前記移動局に前記サーバ要求を転送するための手段を含まない、Ｃ２９に記載の装置。
［Ｃ３１］
キープアライブ要求を受信するための手段をさらに備える、Ｃ２９に記載の装置。
［Ｃ３２］
前記キープアライブ要求を受信するための前記手段は、パケットフィルタを使用して前記キープアライブ要求を検出し、前記パケットフィルタは、前記移動局または前記ネットワークサーバのいずれかによって送られる、Ｃ３１に記載の装置。
［Ｃ３３］
前記キープアライブ要求をリンク層キープアライブ要求に変換するための手段をさらに備える、Ｃ３１に記載の装置。
［Ｃ３４］
前記移動局からの通信に関係する非アクティビティタイマーの値を評価するための手段をさらに備える、Ｃ３１に記載の装置。
［Ｃ３５］
キープアライブ応答を受信すると、前記非アクティビティタイマーをリセットするための手段をさらに備える、Ｃ３４に記載の装置。
［Ｃ３６］
前記非アクティビティタイマーの前記値に少なくとも部分的に基づいて前記移動局に前記キープアライブ要求を転送するための手段と、
キープアライブ応答である前記サーバ応答を前記移動局から受信するための手段と
をさらに備える、Ｃ３４に記載の装置。
［Ｃ３７］
前記非アクティビティタイマーはリンク層非アクティビティタイマーである、Ｃ３６に記載の装置。
［Ｃ３８］
キープアライブメッセージは、前記ネットワークサーバからのレイヤ２トンネリングプロトコル（Ｌ２ＴＰ）キープアライブメッセージである、Ｃ３１に記載の装置。
［Ｃ３９］
前記Ｌ２ＴＰキープアライブメッセージをポイントツーポイントプロトコル（ＰＰＰ）リンク制御プロトコル（ＬＣＰ）エコー要求に変換するための手段と、
非アクティビティタイマーの値に少なくとも部分的に基づいて前記移動局に前記ＰＰＰ ＬＣＰエコー要求を送信するための手段と
をさらに備える、Ｃ３８に記載の装置。
［Ｃ４０］
前記移動局からＬＣＰエコー応答を受信するための手段と、
前記ＬＣＰエコー応答を前記受信することに少なくとも部分的に基づいて、前記Ｌ２ＴＰキープアライブメッセージに応答して前記ネットワークサーバにゼロ長本文確認応答を送信するための手段と
をさらに備える、Ｃ３９に記載の装置。
［Ｃ４１］
前記非アクティビティタイマーは、Ｌｏｎｇ Ｔｅｒｍ Ｅｖｏｌｕｔｉｏｎ（ＬＴＥ）システムにおけるトラッキングエリアアップデートタイマーである、Ｃ３９に記載の装置。
［Ｃ４２］
前記サーバ要求を受信するための前記手段は、前記ネットワークサーバからＬ２ＴＰ制御プロトコル（ＬＣＰ）エコー要求を受信するための手段を含み、前記サーバ応答を送信するための前記手段は、前記ネットワークサーバにＬＣＰエコー応答を送信するための手段を含む、Ｃ２９に記載の装置。
［Ｃ４３］
移動局に向けられたネットワークサーバからのサーバ要求を受信することと、
前記移動局に前記サーバ要求を転送すべきか否かを判断することと、
前記移動局に代わって前記サーバ要求に少なくとも部分的に基づいて前記ネットワークサーバにサーバ応答を送信することと
を備える、プログラムコードを記憶したコンピュータ可読媒体を備える、コンピュータプログラム製品。
【手続補正３】
【補正対象書類名】図面
【補正対象項目名】図１
【補正方法】変更
【補正の内容】
【図１】
2013539623.tif 000016
【手続補正４】
【補正対象書類名】図面
【補正対象項目名】図２
【補正方法】変更
【補正の内容】
【図２】
2013539623.tif 000017
【手続補正５】
【補正対象書類名】図面
【補正対象項目名】図３
【補正方法】変更
【補正の内容】
【図３】
2013539623.tif 000018
【手続補正６】
【補正対象書類名】図面
【補正対象項目名】図７
【補正方法】変更
【補正の内容】
【図７】
2013539623.tif 000019
【国際調査報告】
2013539623.tif 000020
2013539623.tif 000021
2013539623.tif 000022